(57)【特許請求の範囲】
【請求項１】
ＩＣカード機能をもつデバイスに記録される識別コードを所定の契約コードに対応した契約対象を含む装置に登録する登録方法であって、
既登録の識別コードである既登録識別コードを記録する既登録のデバイスである既登録デバイスと予め既登録識別コードに対応する記録識別コードを契約対象に対応するグループコードに関連づけて記録する前記装置と予め契約コードに対応する記録契約コードを記録する管理サーバとを準備する準備工程と、
前記デバイスと前記管理サーバとを公衆通信回線を介して通信させ所定の手続きにより前記デバイスに「真」状態にした認証コードを返信し前記デバイスが返信された認証コードを記録する第一工程と、
前記デバイスと前記装置とを通信させ前記デバイスが前記装置へ認証コードと識別コードとを送信し前記装置が「真」状態である認証コードを受信したときに所定の手続きにより識別コードに対応する記録識別コードを既登録識別コードに関連するグループコードに関連づけて記録する第二工程と、
を備えることを特徴とする登録方法。
【請求項２】
前記第一工程が、前記デバイスと前記管理サーバとを公衆通信回線を介して通信させ前記デバイスが前記管理サーバへ契約コードを送信し前記管理サーバが記録された記録契約コードの中に送信された契約コードを発見したときに前記デバイスに「真」状態にした認証コードを返信し前記デバイスが返信された認証コードを記録し、
前記第二工程が、前記デバイスと前記装置とを通信させ前記デバイスが前記装置へ認証コードと識別コードとを送信し前記装置が「真」状態である認証コードを受信したときに前記既登録デバイスと前記装置とを通信させて前記既登録デバイスが前記装置へ既登録識別コードを送信し前記装置が記録された記録識別コードの中に送信された既登録識別コードを発見したときに識別コードに対応する記録識別コードを発見された既登録識別コードに関連するグループコードに関連づけて記録する、
ことを特徴とする請求項１に記載の登録方法。
【請求項３】
前記第二工程が、前記デバイスと前記装置とを通信させ前記デバイスが前記装置へ認証コードと識別コードとを送信し装置が「真」状態である認証コードを受信したときに前記既登録デバイスと前記装置と通信させて前記既登録デバイスが前記装置へ既登録識別コードを送信し前記装置が記録された記録識別コードの中に送信された既登録識別コードを発見したときに識別コードに対応する記録識別コードを発見された既登録識別コードに関連するグループコードに関連づけて記録し送信された既登録識別コードを発見された既登録識別コードに関連するグループコードに関連しないように処理する、
ことを特徴とする請求項２に記載の登録方法。
【請求項４】
前記準備工程が準備する前記管理サーバが予め契約コードに対応する記録契約コードと既登録識別コードに対応する記録識別コードとを互いに関連づけて記録し、
前記第一工程が前記デバイスと前記管理サーバとを公衆通信回線を介して通信させ前記デバイスが前記管理サーバへ契約コードを送信し前記管理サーバが記録された記録契約コードの中に送信された契約コードを発見したときに前記デバイスに「真」状態にした認証コードと発見した契約コードに関連する既登録識別コードとを返信し前記デバイスは返信された認証コードと既登録識別コードとを記録し、
前記第二工程が前記デバイスと前記装置とを通信させ前記デバイスが前記装置へ認証コードと識別コードと既登録識別コードとを送信し前記装置が「真」状態である認証コードを受信し記録された記録識別コードの中に送信された既登録識別コードを発見したときに送信された識別コードを発見された既登録識別コードに関連するグループコードに関連づけて記録する、
ことを特徴とする請求項１に記載の登録方法。
【請求項５】
前記第二工程が前記デバイスと前記装置とを通信させデバイスが前記装置へ認証コードと識別コードと既登録識別コードとを送信させ前記装置が「真」状態である認証コードを受信し記録された記録識別コードの中に送信された既登録識別コードを発見したときに送信された識別コードを発見された既登録識別コードに関連するグループコードに関連づけて記録し送信された既登録識別コードを発見された既登録識別コードに関連するグループコードに関連しないように処理する、
ことを特徴とする請求項４に記載の登録方法。
【請求項６】
ＩＣカード機能をもつデバイスに記録される識別コードを所定の契約コードに対応した契約対象を含む装置に登録する登録方法であって、
既登録の識別コードである既登録識別コードを記録する既登録のデバイスである既登録デバイスと予め既登録識別コードに対応する記録識別コードを契約対象に対応するグループコードに関連づけて記録する前記装置と予め契約コードに対応する記録契約コードと既登録識別コードに対応する記録識別コードとを互いに関連づけて記録する管理サーバとを準備する準備工程と、
前記デバイスと前記管理サーバとを公衆通信回線を介して通信させ前記デバイスが前記管理サーバへ契約コードを送信し前記管理サーバが記録された記録契約コードの中に送信された契約コードを発見したときに前記デバイスに発見した契約コードに関連する既登録識別コードを返信し前記デバイスは返信された既登録識別コードを記録する第一工程と、
前記デバイスと前記装置とを通信させ前記デバイスが装置へ識別コードと既登録識別コードとを送信させ前記装置が記録された記録識別コードの中に送信された既登録識別コードを発見したときに送信された識別コードを発見された既登録識別コードに関連するグループコードに関連づけて記録する第二工程と、
を備えることを特徴とする登録方法。
【請求項７】
ＩＣカード機能をもつデバイスに記録される識別コードを所定の契約コードに対応した契約対象を含む装置に登録する登録システムであって、
既登録の識別コードである既登録識別コードを記録する既登録のデバイスである既登録デバイスと、
予め既登録識別コードに対応する記録識別コードを契約対象に対応するグループコードに関連づけて記録する前記装置と、
予め契約コードに対応する記録契約コードを記録する管理サーバと、
を備え、
前記管理サーバが前記デバイスと公衆通信回線を介して通信して所定の手続きにより前記デバイスに「真」状態にした認証コードを返信し前記デバイスに返信された認証コードを記録させ、
前記装置が前記デバイスと通信して前記デバイスに前記装置へ認証コードと識別コードとを送信させ「真」状態である認証コードを受信したときに所定の手続きにより識別コードに対応する記録識別コードを既登録識別コードに関連するグループコードに関連づけて記録する、
ことを特徴とする登録システム。
【請求項８】
前記管理サーバが前記デバイスと公衆通信回線を介して通信して前記デバイスに前記管理サーバへ契約コードを送信させて記録された記録契約コードの中に送信された契約コードを発見したときに前記デバイスに「真」状態にした認証コードを返信して前記デバイスに返信された認証コードを記録させ、
前記装置が前記デバイスと通信して前記デバイスに前記装置へ認証コードと識別コードとを送信させて「真」状態である認証コードを受信したときに既登録デバイスと通信して前記既登録デバイスに前記装置へ既登録識別コードを送信させて記録された記録識別コードの中に送信された既登録識別コードを発見したときに識別コードに対応する記録識別コードを発見された既登録識別コードに関連するグループコードに関連づけて記録し、
前記装置が前記デバイスと通信して前記デバイスに前記装置へ識別コードを送信させて記録された記録識別コードの中に送信された識別コードを発見すると発見された識別コードに関連するグループコードに対応する契約対象に関する操作指令を受け付ける、
ことを特徴とする請求項７に記載の登録システム。
【請求項９】
前記装置が前記デバイスと通信して前記デバイスに前記装置へ認証コードと識別コードとを送信させて「真」状態である認証コードを受信したときに前記既登録デバイスと通信して前記既登録デバイスに装置へ既登録識別コードを送信させ記録された記録識別コードの中に送信された既登録識別コードを発見したときに識別コードに対応する記録識別コードを発見された既登録識別コードに関連するグループコードに関連づけて記録し送信された既登録識別コードを発見された既登録識別コードに関連するグループコードに関連しないように処理する、
ことを特徴とする請求項８に記載の登録システム。
【請求項１０】
前記管理サーバが予め契約コードに対応する記録契約コードと既登録識別コードに対応する記録識別コードとを互いに関連づけて記録し、
前記管理サーバが前記デバイスと公衆通信回線を介して通信して前記デバイスに前記管理サーバへ契約コードを送信させて記録された記録契約コードの中に送信された契約コードを発見したときに前記デバイスに「真」状態にした認証コードと発見した契約コードに関連する既登録識別コードとを返信して前記デバイスに返信された認証コードと既登録識別コードとを記録させ、
前記装置が前記デバイスと通信して前記デバイスに前記装置へ認証コードと識別コードと既登録識別コードとを送信させて「真」状態である認証コードを受信し記録された記録識別コードの中に送信された既登録識別コードを発見したときに送信された識別コードを発見された既登録識別コードに関連するグループコードに関連づけて記録し、
前記装置が前記デバイスと通信して前記デバイスに前記装置へ識別コードを送信させて記録された記録識別コードの中に送信された識別コードを発見すると発見された識別コードに関連するグループコードに対応する契約対象に関する操作指令を受け付ける、
ことを特徴とする請求項７に記載の登録システム。
【請求項１１】
前記装置が前記デバイスと通信して前記デバイスに前記装置へ認証コードと識別コードと既登録識別コードとを送信させて「真」状態である認証コードを受信し記録された記録識別コードの中に送信された既登録識別コードを発見したときに送信された識別コードを発見された既登録識別コードに関連するグループコードに関連づけて記録し送信された既登録識別コードを発見された既登録識別コードに関連するグループコードに関連しないように処理する、
ことを特徴とする請求項１０に記載の登録システム。
【請求項１２】
ＩＣカード機能をもつデバイスに記録される識別コードを所定の契約コードに対応した契約対象を含む装置に登録する登録システムであって、
既登録の識別コードである既登録識別コードを記録する既登録のデバイスである既登録デバイスと、
予め既登録識別コードに対応する記録識別コードを契約対象に対応するグループコードに関連づけて記録する前記装置と、
予め契約コードに対応する記録契約コードと既登録識別コードに対応する記録識別コードとを互いに関連づけて記録する管理サーバと、
を備え、
前記管理サーバが前記デバイスと公衆通信回線を介して通信して前記デバイスに前記管理サーバへ契約コードを送信させて記録された記録契約コードの中に送信された契約コードを発見したときに前記デバイスに発見した前記契約コードに関連する既登録識別コードを返信して前記デバイスに返信された既登録識別コードを記録させ、
前記装置が前記デバイスと通信して前記デバイスに前記装置へ識別コードと既登録識別コードとを送信させて記録された記録識別コードの中に送信された既登録識別コードを発見したときに送信された識別コードを発見された既登録識別コードに関連するグループコードに関連づけて記録し、
前記装置が前記デバイスと通信して前記デバイスに前記装置へ識別コードを送信させて記録された記録識別コードの中に送信された識別コードを発見すると発見された識別コードに関連するグループコードに対応する契約対象に関する操作指令を受け付ける、
ことを特徴とする登録システム。
【発明の詳細な説明】
【技術分野】
【０００１】
本発明は、ＩＣカード機能をもつデバイスを装置に登録する登録方法と登録システムに係る。特に、追加のデバイスを装置に登録するのに適する登録方法と登録システムに関する。
【背景技術】
【０００２】
複数の車両を駐車させるのに駐車装置を用いることがある。
駐車装置は、車両を入出庫空間と駐車空間との間で移動させて駐車させる。
例えば、駐車装置は、メリーゴーランド方式駐車装置、エレベータ方式駐車装置、エレベータ・スライド方式駐車装置、平面往復方式駐車装置、運搬格納方式駐車装置、二段方式・多段方式駐車装置がある。
【０００３】
駐車装置を操作する際に、ＩＣカード機能をもつデバイスを用いることがある。
例えば、オペレータは予め登録されたＩＣカードを駐車装置の操作盤面にかざす。
駐車装置は、ＩＣカードに電子記録される識別コードを読み取り、予め記録される記録識別コードの中に読み取った識別コードを発見すると、操作指令を受け付ける。
また、駐車装置は、発見した識別コードに関連づけて記録されるグループコードに対応するパレットに対する操作指令を受け付ける。
ＩＣカードを予め登録する際には、特別の権限を持つ者が、専用の操作装置を用いて装置に記録する。
【０００４】
ところで、ＩＣカード機能をもつデバイスが流通している。
例えば、携帯電話がＩＣカード機能をもつ。
そこで、駐車装置を操作する際に新たに入手した携帯電話を使用したいというニーズがある。
そこで、簡易にＩＣカード機能をもつデバイスを装置に登録したいというニーズがあった。
【発明の概要】
【発明が解決しようとする課題】
【０００５】
本発明は以上に述べた問題点に鑑み案出されたもので、簡易な手続きによりＩＣカード機能をもつデバイスを装置に登録する登録方法と登録システムを提供しようとする。
【課題を解決するための手段】
【０００６】
上記目的を達成するため、本発明に係るＩＣカード機能をもつデバイスに記録される識別コードを所定の契約コードに対応した契約対象を含む装置に登録する登録方法であって、既登録の識別コードである既登録識別コードを記録する既登録のデバイスである既登録デバイスと予め既登録識別コードに対応する記録識別コードを契約対象に対応するグループコードに関連づけて記録する装置と予め契約コードに対応する記録契約コードを記録する管理サーバとを準備する準備工程と、前記デバイスと前記管理サーバとを公衆通信回線を介して通信させ所定の手続きにより前記デバイスに「真」状態にした認証コードを返信し前記デバイスが返信された認証コードを記録する第一工程と、前記デバイスと前記装置とを通信させ前記デバイスが前記装置へ認証コードと識別コードとを送信し前記装置が「真」状態である認証コードを受信したときに所定の手続きにより識別コードに対応する記録識別コードを既登録識別コードに関連するグループコードに関連づけて記録する第二工程と、を備えるものとした。
【０００７】
上記本発明の構成により、前記既登録デバイスが、既登録の識別コードである既登録識別コードを記録する既登録のデバイスである。前記装置が、予め既登録識別コードに対応する記録識別コードを契約対象に対応するグループコードに関連づけて記録する。前記管理サーバが、予め契約コードに対応する記録契約コードを記録する。第一工程で、前記デバイスと前記管理サーバとを公衆通信回線を介して通信させ所定の手続きにより前記デバイスに「真」状態にした認証コードを返信し前記デバイスが返信された認証コードを記録する。第二工程で、前記デバイスと前記装置とを通信させ前記デバイスが前記装置へ認証コードと識別コードとを送信し装置が「真」状態である認証コードを受信したときに所定の手続きにより識別コードに対応する記録識別コードを既登録識別コードに関連するグループコードに関連づけて記録する。
その結果、ＩＣカード機能をもつデバイスの識別コードを契約対象に関連づけて装置に登録できる。
【０００８】
以下に、本発明の実施形態に係る登録方法を説明する。本発明は、以下に記載した実施形態のいずれか、またはそれらの中の二つ以上が組み合わされた態様を含む。
【０００９】
本発明の実施形態に係る登録方法は、既登録の識別コードである既登録識別コードを記録する既登録の前記デバイスである前記既登録デバイスと予め既登録識別コードに対応する記録識別コードを契約対象に対応するグループコードに関連づけて記録する前記装置と予め契約コードに対応する記録契約コードを記録する前記管理サーバとを準備する準備工程と、前記デバイスと前記管理サーバとを公衆通信回線を介して通信させ前記デバイスが前記管理サーバへ契約コードを送信し前記管理サーバが記録された記録契約コードの中に送信された契約コードを発見したときに前記デバイスに「真」状態にした認証コードを返信し前記デバイスが返信された認証コードを記録する第一工程と、前記デバイスと前記装置とを通信させ前記デバイスが前記装置へ認証コードと識別コードとを送信し前記装置が「真」状態である認証コードを受信したときに前記既登録デバイスと前記装置と通信させて前記既登録デバイスが前記装置へ既登録識別コードを送信し前記装置が記録された記録識別コードの中に送信された既登録識別コードを発見したときに識別コードに対応する記録識別コードを発見された既登録識別コードに関連するグループコードに関連づけて記録する第二工程と、を備える。
上記の実施形態の構成により、前記既登録デバイスが、既登録の識別コードである既登録識別コードを記録する既登録のデバイスである。前記装置が、予め既登録識別コードに対応する記録識別コードを契約対象に対応するグループコードに関連づけて記録する。前記管理サーバが、予め契約コードに対応する記録契約コードを記録する。第一工程で、前記デバイスと前記管理サーバとを公衆通信回線を介して通信させ前記デバイスが前記管理サーバへ契約コードを送信し前記管理サーバが記録された記録契約コードの中に送信された契約コードを発見したときに前記デバイスに「真」状態にした認証コードを返信し前記デバイスが返信された認証コードを記録する。第二工程で、前記デバイスと前記装置とを通信させ前記デバイスが前記装置へ認証コードと識別コードとを送信し装置が「真」状態である認証コードを受信したときに前記既登録デバイスと前記装置と通信させて前記既登録デバイスが前記装置へ既登録識別コードを送信し前記装置が記録された記録識別コードの中に送信された既登録識別コードを発見したときに識別コードに対応する記録識別コードを発見された既登録識別コードに関連するグループコードに関連づけて記録する。
その結果、ＩＣカード機能をもつデバイスの識別コードを契約対象に関連づけて装置に登録できる。
【００１０】
本発明の実施形態に係る登録方法は、既登録の識別コードである既登録識別コードを記録する既登録のデバイスである既登録デバイスと予め既登録識別コードに対応する記録識別コードを契約対象に対応するグループコードに関連づけて記録する装置と予め契約コードに対応する記録契約コードを記録する管理サーバとを準備する準備工程と、前記デバイスと前記管理サーバとを公衆通信回線を介して通信させ前記デバイスが前記管理サーバへ契約コードを送信し前記管理サーバが記録された記録契約コードの中に送信された契約コードを発見したときにデバイスに「真」状態にした認証コードを返信しデバイスが返信された認証コードを記録する第一工程と、前記デバイスと前記装置とを通信させ前記デバイスが前記装置へ認証コードと識別コードとを送信し装置が「真」状態である認証コードを受信したときに前記既登録デバイスと装置と通信させて前記既登録デバイスが前記装置へ既登録識別コードを送信し前記装置が記録された記録識別コードの中に送信された既登録識別コードを発見したときに識別コードに対応する記録識別コードを発見された既登録識別コードに関連するグループコードに関連づけて記録し送信された既登録識別コードを発見された既登録識別コードに関連するグループコードに関連しないように処理する第二工程と、を備える。
上記の実施形態の構成により、前記既登録デバイスが、既登録の識別コードである既登録識別コードを記録する既登録のデバイスである。前記装置が、予め既登録識別コードに対応する記録識別コードを契約対象に対応するグループコードに関連づけて記録する。前記管理サーバが、予め契約コードに対応する記録契約コードを記録する。第一工程で、前記デバイスと前記管理サーバとを公衆通信回線を介して通信させ前記デバイスが前記管理サーバへ契約コードを送信し前記管理サーバが記録された記録契約コードの中に送信された契約コードを発見したときにデバイスに「真」状態にした認証コードを返信しデバイスが返信された認証コードを記録する。第二工程で、前記デバイスと前記装置とを通信させ前記デバイスが前記装置へ認証コードと識別コードとを送信し前記装置が「真」状態である認証コードを受信したときに前記既登録デバイスと前記装置と通信させて前記既登録デバイスが前記装置へ既登録識別コードを送信し前記装置が記録された記録識別コードの中に送信された既登録識別コードを発見したときに識別コードに対応する記録識別コードを発見された既登録識別コードに関連するグループコードに関連づけて記録し送信された既登録識別コードを発見された既登録識別コードに関連するグループコードに関連しないように処理する。
その結果、既登録デバイスの既登録識別コードに替えてＩＣカード機能をもつデバイスの識別コードを契約対象に関連づけて装置に登録できる。
【００１１】
本発明の実施形態に係る登録方法は、既登録の識別コードである既登録識別コードを記録する既登録のデバイスである既登録デバイスと、予め既登録識別コードに対応する記録識別コードを契約対象に対応するグループコードに関連づけて記録する装置と予め契約コードに対応する記録契約コードと既登録識別コードに対応する識別コードとを互いに関連づけて記録する管理サーバとを準備する準備工程と、前記デバイスと前記管理サーバとを公衆通信回線を介して通信させ前記デバイスが前記管理サーバへ契約コードを送信し前記管理サーバが記録された記録契約コードの中に送信された契約コードを発見したときに前記デバイスに「真」状態にした認証コードと発見した契約コードに関連する既登録識別コードとを返信し前記デバイスは返信された認証コードと既登録識別コードとを記録する第一工程と、前記デバイスと前記装置とを通信させ前記デバイスが前記装置へ認証コードと識別コードと既登録識別コードとを送信し前記装置が「真」状態である認証コードを受信し記録された記録識別コードの中に送信された既登録識別コードを発見したときに送信された識別コードを発見された既登録識別コードに関連するグループコードに関連づけて記録する第二工程と、を備える。
上記の実施形態の構成により、前記既登録デバイスが、既登録の識別コードである既登録識別コードを記録する既登録のデバイスである。前記装置が、予め既登録識別コードに対応する記録識別コードを契約対象に対応するグループコードに関連づけて記録する。前記管理サーバが、予め契約コードに対応する記録契約コードと既登録識別コードに対応する記録識別コードとを互いに関連づけて記録する。第一工程で、前記デバイスと前記管理サーバとを公衆通信回線を介して通信させ前記デバイスが前記管理サーバへ契約コードを送信し前記管理サーバが記録された記録契約コードの中に送信された契約コードを発見したときにデバイスに「真」状態にした認証コードと発見した契約コードに関連する既登録識別コードとを返信しデバイスは返信された認証コードと既登録識別コードとを記録する。第二工程で、前記デバイスと前記装置とを通信させデバイスが前記装置へ認証コードと識別コードと既登録識別コードとを送信し前記装置が「真」状態である認証コードを受信し記録された記録識別コードの中に送信された既登録識別コードを発見したときに送信された識別コードを発見された既登録識別コードに関連するグループコードに関連づけて記録する。
その結果、ＩＣカード機能をもつデバイスの識別コードを契約対象に関連づけて装置に登録できる。
【００１２】
本発明の実施形態に係る登録方法は、既登録の識別コードである既登録識別コードを記録する既登録のデバイスである既登録デバイスと、予め既登録識別コードに対応する記録識別コードを契約対象に対応するグループコードに関連づけて記録する装置と予め契約コードに対応する記録契約コードと既登録識別コードに対応する記録識別コードとを互いに関連づけて記録する管理サーバとを準備する準備工程と、前記デバイスと前記管理サーバとを公衆通信回線を介して通信させデバイスが前記管理サーバへ契約コードを送信し前記管理サーバが記録された記録契約コードの中に送信された契約コードを発見したときに前記デバイスに「真」状態にした認証コードと発見した契約コードに関連する既登録識別コードとを返信しデバイスは返信された認証コードと既登録識別コードとを記録する第一工程と、前記デバイスと前記装置とを通信させ前記デバイスが前記装置へ認証コードと識別コードと既登録識別コードとを送信させ前記装置が「真」状態である認証コードを受信し記録された記録識別コードの中に送信された既登録識別コードを発見したときに送信された識別コードを発見された既登録識別コードに関連するグループコードに関連づけて記録し送信された既登録識別コードを発見された既登録識別コードに関連するグループコードに関連しないように処理する第二工程と、を備える。
上記の実施形態の構成により、前記既登録デバイスが、既登録の識別コードである既登録識別コードを記録する既登録のデバイスである。前記装置が、予め既登録識別コードに対応する記録識別コードを契約対象に対応するグループコードに関連づけて記録する。前記管理サーバが、予め契約コードに対応する記録契約コードと既登録識別コードに対応する記録識別コードとを互いに関連づけて記録する。第一工程で、前記デバイスと前記管理サーバとを公衆通信回線を介して通信させ前記デバイスが前記管理サーバへ契約コードを送信し前記管理サーバが記録された記録契約コードの中に送信された契約コードを発見したときに前記デバイスに「真」状態にした認証コードと発見した契約コードに関連する既登録識別コードとを返信し前記デバイスは返信された認証コードと既登録識別コードとを記録する。第二工程で、前記デバイスと前記装置とを通信させ前記デバイスが前記装置へ認証コードと識別コードと既登録識別コードとを送信させ装置が「真」状態である認証コードを受信し記録された記録識別コードの中に送信された既登録識別コードを発見したときに送信された識別コードを発見された既登録識別コードに関連するグループコードに関連づけて記録し送信された既登録識別コードを発見された既登録識別コードに関連するグループコードに関連しないように処理する。
その結果、既登録デバイスの既登録識別コードに替えてＩＣカード機能をもつデバイスの識別コードを契約対象に関連づけて装置に登録できる。
【００１３】
本発明の実施形態に係る登録方法は、既登録の識別コードである既登録識別コードを記録する既登録のデバイスである既登録デバイスと予め既登録識別コードに対応する記録識別コードを契約対象に対応するグループコードに関連づけて記録する装置と予め契約コードに対応する記録契約コードと既登録識別コードに対応する記録識別コードとを互いに関連づけて記録する管理サーバとを準備する準備工程と、前記デバイスと前記管理サーバとを公衆通信回線を介して通信させ前記デバイスが前記管理サーバへ契約コードを送信し前記管理サーバが記録された記録契約コードの中に送信された契約コードを発見したときに前記デバイスに発見した契約コードに関連する既登録識別コードを返信し前記デバイスは返信された既登録識別コードを記録する第一工程と、前記デバイスと前記装置とを通信させ前記デバイスが前記装置へ識別コードと既登録識別コードとを送信させ前記装置が記録された記録識別コードの中に送信された既登録識別コードを発見したときに送信された識別コードを発見された既登録識別コードに関連するグループコードに関連づけて記録する第二工程と、を備える。
上記の実施形態の構成により、前記既登録デバイスが、既登録の識別コードである既登録識別コードを記録する既登録のデバイスである。前記装置が、予め既登録識別コードに対応する記録識別コードを契約対象に対応するグループコードに関連づけて記録する。前記管理サーバが、予め契約コードに対応する記録契約コードと既登録識別コードに対応する記録識別コードとを互いに関連づけて記録する。第一工程で、前記デバイスと前記管理サーバとを公衆通信回線を介して通信させ前記デバイスが前記管理サーバへ契約コードを送信し前記管理サーバが記録された記録契約コードの中に送信された契約コードを発見したときにデバイスに発見した契約コードに関連する既登録識別コードを返信し前記デバイスは返信された既登録識別コードを記録する。第二工程で、前記デバイスと前記装置とを通信させ前記デバイスが前記装置へ識別コードと既登録識別コードとを送信させ装置が記録された記録識別コードの中に送信された既登録識別コードを発見したときに送信された識別コードを発見された既登録識別コードに関連するグループコードに関連づけて記録する。
その結果、ＩＣカード機能をもつデバイスの識別コードを契約対象に関連づけて装置に登録できる。
【００１４】
上記目的を達成するため、本発明に係るＩＣカード機能をもつデバイスに記録される識別コードを所定の契約コードに対応した契約対象を含む装置に登録する登録システムであって、既登録の識別コードである既登録識別コードを記録する既登録のデバイスである既登録デバイスと、予め既登録識別コードに対応する記録識別コードを契約対象に対応するグループコードに関連づけて記録する装置と、予め契約コードに対応する記録契約コードを記録する管理サーバと、を備え、前記管理サーバが前記デバイスと公衆通信回線を介して通信して所定の手続きにより前記デバイスに「真」状態にした認証コードを返信し前記デバイスに返信された認証コードを記録させ、前記装置が前記デバイスと通信して前記デバイスに前記装置へ認証コードと識別コードとを送信させ「真」状態である認証コードを受信したときに所定の手続きにより識別コードに対応する記録識別コードを既登録識別コードに関連するグループコードに関連づけて記録する、ものとした。
【００１５】
上記本発明の構成により、前記既登録デバイスが、既登録の識別コードである既登録識別コードを記録する既登録のデバイスである。前記装置が、予め既登録識別コードに対応する記録識別コードを契約対象に対応するグループコードに関連づけて記録する。前記管理サーバが、予め契約コードに対応する記録契約コードを記録する。前記管理サーバが前記デバイスと公衆通信回線を介して通信して所定の手続きにより前記デバイスに「真」状態にした認証コードを返信し前記デバイスに返信された認証コードを記録させ、前記装置が前記デバイスと通信して前記デバイスに前記装置へ認証コードと識別コードとを送信させ「真」状態である認証コードを受信したときに所定の手続きにより識別コードに対応する記録識別コードを既登録識別コードに関連するグループコードに関連づけて記録する、ものとした。
その結果、ＩＣカード機能をもつ前記デバイスの識別コードを契約対象に関連づけて装置に登録できる。
【００１６】
以下に、本発明の実施形態に係る登録システムを説明する。本発明は、以下に記載した実施形態のいずれか、またはそれらの中の二つ以上が組み合わされた態様を含む。
【００１７】
本発明の実施形態に係る登録システムは、既登録の識別コードである既登録識別コードを記録する既登録のデバイスである既登録デバイスと、予め既登録識別コードに対応する記録識別コードを契約対象に相当するグループコードに関連づけて記録する装置と、予め契約コードに対応する記録契約コードを記録する管理サーバと、を備え、前記管理サーバが前記デバイスと公衆通信回線を介して通信して前記デバイスに前記管理サーバへ契約コードを送信させて記録された記録契約コードの中に送信された契約コードを発見したときに前記デバイスに「真」状態にした認証コードを返信してデバイスに返信された認証コードを記録させ、前記装置が前記デバイスと通信して前記デバイスに前記装置へ認証コードと識別コードとを送信させて「真」状態である認証コードを受信したときに既登録デバイスと通信して既登録デバイスに装置へ既登録識別コードを送信させて記録された記録識別コードの中に送信された既登録識別コードを発見したときに識別コードに対応する記録識別コードを発見された既登録識別コードに関連するグループコードに関連づけて記録し、
前記装置が前記デバイスと通信して前記デバイスに前記装置へ識別コードを送信させて記録された記録識別コードの中に送信された識別コードを発見すると発見された識別コードに関連するグループコードに対応する契約対象に関する操作指令を受け付ける、ものとした。
上記の実施形態の構成により、前記既登録デバイスが、既登録の識別コードである既登録識別コードを記録する既登録のデバイスである。前記装置が、予め既登録識別コードに対応する記録識別コードを契約対象に相当するグループコードに関連づけて記録する。前記管理サーバが、予め契約コードに対応する記録契約コードを記録する。前記管理サーバが前記デバイスと公衆通信回線を介して通信して前記デバイスに前記管理サーバへ契約コードを送信させて記録された記録契約コードの中に送信された契約コードを発見したときにデバイスに「真」状態にした認証コードを返信してデバイスに返信された認証コードを記録させる。前記装置が前記デバイスと通信して前記デバイスに前記装置へ認証コードと識別コードとを送信させて「真」状態である認証コードを受信したときに前記既登録デバイスと通信して前記既登録デバイスに前記装置へ既登録識別コードを送信させて記録された記録識別コードの中に送信された既登録識別コードを発見したときに識別コードに対応する記録識別コードを発見された既登録識別コードに関連するグループコードに関連づけて記録する。前記装置がデバイスと通信してデバイスに装置へ識別コードを送信させて記録された記録識別コードの中に送信された識別コードを発見すると発見された識別コードに関連するグループコードに対応する契約対象に関する操作指令を受け付ける。
その結果、ＩＣカード機能をもつ前記デバイスの識別コードを契約対象に関連づけて装置に登録でき、登録されたデバイスにより装置を操作できる。
【００１８】
本発明の実施形態に係る登録システムは、既登録の識別コードである既登録識別コードを記録する既登録のデバイスである既登録デバイスと、予め既登録識別コードに対応する記録識別コードを契約対象に相当するグループコードに関連づけて記録する装置と、予め契約コードに対応する記録契約コードを記録する管理サーバと、を備え、前記管理サーバがデバイスと公衆通信回線を介して通信してデバイスに管理サーバへ契約コードを送信させて記録された記録契約コードの中に送信された契約コードを発見したときにデバイスに「真」状態にした認証コードを返信してデバイスに返信された認証コードを記録させ、前記装置が前記デバイスと通信して前記デバイスに前記装置へ認証コードと識別コードとを送信させて「真」状態である認証コードを受信したときに前記既登録デバイスと通信して前記既登録デバイスに前記装置へ既登録識別コードを送信させ記録された記録識別コードの中に送信された既登録識別コードを発見したときに識別コードに対応する記録識別コードを発見された既登録識別コードに関連するグループコードに関連づけて記録し送信された既登録識別コードを発見された既登録識別コードに関連するグループコードに関連しないように処理し、前記装置が前記デバイスと通信して前記デバイスに前記装置へ識別コードを送信させて記録された記録識別コードの中に送信された識別コードを発見すると発見された識別コードに関連するグループコードに対応する契約対象に関する操作指令を受け付ける。
上記の実施形態の構成により、前記既登録デバイスが、既登録の識別コードである既登録識別コードを記録する既登録のデバイスである。前記装置が、予め既登録識別コードに対応する記録識別コードを契約対象に相当するグループコードに関連づけて記録する。前記管理サーバが、予め契約コードに対応する記録契約コードを記録する。前記管理サーバが前記デバイスと公衆通信回線を介して通信して前記デバイスに前記管理サーバへ契約コードを送信させて記録された記録契約コードの中に送信された契約コードを発見したときに前記デバイスに「真」状態にした認証コードを返信してデバイスに返信された認証コードを記録させる。前記装置が前記デバイスと通信して前記デバイスに前記装置へ認証コードと識別コードとを送信させて「真」状態である認証コードを受信したときに前記既登録デバイスと通信して前記既登録デバイスに前記装置へ既登録識別コードを送信させ記録された記録識別コードの中に送信された既登録識別コードを発見したときに識別コードに対応する記録識別コードを発見された既登録識別コードに関連するグループコードに関連づけて記録し送信された既登録識別コードを発見された既登録識別コードに関連するグループコードに関連しないように処理する。前記装置が前記デバイスと通信して前記デバイスに前記装置へ識別コードを送信させて記録された記録識別コードの中に送信された識別コードを発見すると発見された識別コードに関連するグループコードに対応する契約対象に関する操作指令を受け付ける。
その結果、前記既登録デバイスの既登録識別コードに替えてＩＣカード機能をもつデバイスの識別コードを契約対象に関連づけて前記装置に登録でき、登録されたデバイスにより装置を操作できる。
【００１９】
本発明の実施形態に係る登録システムは、既登録の識別コードである既登録識別コードを記録する既登録のデバイスである既登録デバイスと、予め既登録識別コードに対応する記録識別コードを契約対象に対応するグループコードに関連づけて記録する装置と、予め契約コードに対応する記録契約コードと既登録識別コードに対応する記録識別コードとを互いに関連づけて記録する管理サーバと、を備え、前記管理サーバが前記デバイスと公衆通信回線を介して通信して前記デバイスに前記管理サーバへ契約コードを送信させて記録された記録契約コードの中に送信された契約コードを発見したときに前記デバイスに「真」状態にした認証コードと発見した契約コードに関連する既登録識別コードとを返信してデバイスに返信された認証コードと既登録識別コードとを記録させ、前記装置が前記デバイスと通信して前記デバイスに前記装置へ認証コードと識別コードと既登録識別コードとを送信させて「真」状態である認証コードを受信し記録された記録識別コードの中に送信された既登録識別コードを発見したときに送信された識別コードを発見された既登録識別コードに関連するグループコードに関連づけて記録し、前記装置が前記デバイスと通信して前記デバイスに前記装置へ識別コードを送信させて記録された記録識別コードの中に送信された識別コードを発見すると発見された識別コードに関連するグループコードに対応する契約対象に関する操作指令を受け付ける。
上記の実施形態の構成により、前記既登録デバイスが、既登録の識別コードである既登録識別コードを記録する既登録のデバイスである。前記装置が、予め既登録識別コードに対応する記録識別コードを契約対象に対応するグループコードに関連づけて記録する。前記管理サーバが、予め契約コードに対応する記録契約コードと既登録識別コードに対応する記録識別コードとを互いに関連づけて記録する。前記管理サーバが前記デバイスと公衆通信回線を介して通信して前記デバイスに前記管理サーバへ契約コードを送信させて記録された記録契約コードの中に送信された契約コードを発見したときに前記デバイスに「真」状態にした認証コードと発見した契約コードに関連する既登録識別コードとを返信して前記デバイスに返信された認証コードと既登録識別コードとを記録させる。前記装置が前記デバイスと通信して前記デバイスに前記装置へ認証コードと識別コードと既登録識別コードとを送信させて「真」状態である認証コードを受信し記録された記録識別コードの中に送信された既登録識別コードを発見したときに送信された識別コードを発見された前記既登録識別コードに関連するグループコードに関連づけて記録する。前記装置が前記デバイスと通信して前記デバイスに前記装置へ識別コードを送信させて記録された記録識別コードの中に送信された識別コードを発見すると発見された識別コードに関連するグループコードに対応する契約対象に関する操作指令を受け付ける。
その結果、ＩＣカード機能をもつ前記デバイスの識別コードを契約対象に関連づけて装置に登録でき、登録されたデバイスにより装置を操作できる。
【００２０】
本発明の実施形態に係る登録システムは、既登録の識別コードである既登録識別コードを記録する既登録のデバイスである既登録デバイスと、予め既登録識別コードに対応する記録識別コードを契約対象に対応するグループコードに関連づけて記録する装置と、予め契約コードに対応する記録契約コードと既登録識別コードに対応する記録識別コードとを互いに関連づけて記録する管理サーバと、を備え、前記管理サーバが前記デバイスと公衆通信回線を介して通信して前記デバイスに前記管理サーバへ契約コードを送信させて記録された記録契約コードの中に送信された契約コードを発見したときに前記デバイスに「真」状態にした認証コードと発見した契約コードに関連する既登録識別コードとを返信してデバイスに返信された認証コードと既登録識別コードとを記録させ、前記装置が前記デバイスと通信して前記デバイスに前記装置へ認証コードと識別コードと既登録識別コードとを送信させて「真」状態である認証コードを受信し記録された記録識別コードの中に送信された既登録識別コードを発見したときに送信された識別コードを発見された既登録識別コードに関連するグループコードに関連づけて記録し送信された既登録識別コードを発見された既登録識別コードに関連するグループコードに関連しないように処理し、前記装置が前記デバイスと通信して前記デバイスに前記装置へ識別コードを送信させて記録された記録識別コードの中に送信された識別コードを発見すると発見された識別コードに関連するグループコードに対応する契約対象に関する操作指令を受け付ける。
上記の実施形態の構成により、前記既登録デバイスが、既登録の識別コードである既登録識別コードを記録する既登録のデバイスである。前記装置が、予め既登録識別コードに対応する記録識別コードを契約対象に対応するグループコードに関連づけて記録する。前記管理サーバが、予め契約コードに対応する記録契約コードと既登録識別コードに対応する記録識別コードとを互いに関連づけて記録する。前記管理サーバが前記デバイスと公衆通信回線を介して通信して前記デバイスに前記管理サーバへ契約コードを送信させて記録された記録契約コードの中に送信された契約コードを発見したときに前記デバイスに「真」状態にした認証コードと発見した契約コードに関連する既登録識別コードとを返信して前記デバイスに返信された認証コードと既登録識別コードとを記録させる。前記装置が前記デバイスと通信して前記デバイスに前記装置へ認証コードと識別コードと既登録識別コードとを送信させて「真」状態である認証コードを受信し記録された記録識別コードの中に送信された既登録識別コードを発見したときに送信された識別コードを発見された既登録識別コードに関連するグループコードに関連づけて記録し送信された既登録識別コードを発見された既登録識別コードに関連するグループコードに関連しないように処理する。前記装置が前記デバイスと通信して前記デバイスに前記装置へ識別コードを送信させて記録された記録識別コードの中に送信された識別コードを発見すると発見された識別コードに関連するグループコードに対応する契約対象に関する操作指令を受け付ける。
その結果、前記既登録デバイスの既登録識別コードに替えてＩＣカード機能をもつデバイスの識別コードを契約対象に関連づけて装置に登録でき、登録されたデバイスにより装置を操作できる。
【００２１】
本発明の実施形態に係る登録システムは、既登録の識別コードである既登録識別コードを記録する既登録のデバイスである既登録デバイスと、予め既登録識別コードに対応する記録識別コードを契約対象に対応するグループコードに関連づけて記録する装置と、予め契約コードに対応する記録契約コードと既登録識別コードに対応する記録識別コードとを互いに関連づけて記録する管理サーバと、を備え、前記管理サーバが前記デバイスと公衆通信回線を介して通信して前記デバイスに前記管理サーバへ契約コードを送信させて記録された記録契約コードの中に送信された契約コードを発見したときに前記デバイスに発見した契約コードに関連する既登録識別コードを返信してデバイスに返信された既登録識別コードを記録させ、前記装置が前記デバイスと通信して前記デバイスに前記装置へ識別コードと既登録識別コードとを送信させて記録された記録識別コードの中に送信された既登録識別コードを発見したときに送信された識別コードを発見された既登録識別コードに関連するグループコードに関連づけて記録し、
前記装置が前記デバイスと通信して前記デバイスに前記装置へ識別コードを送信させて記録された記録識別コードの中に送信された識別コードを発見すると発見された識別コードに関連するグループコードに対応する契約対象に関する操作指令を受け付ける。
上記の実施形態の構成により、既登録デバイスが、既登録の識別コードである既登録識別コードを記録する既登録のデバイスである。装置が、予め既登録識別コードに対応する記録識別コードを契約対象に対応するグループコードに関連づけて記録する。管理サーバが、予め契約コードに対応する記録契約コードと既登録識別コードに対応する記録識別コードとを互いに関連づけて記録する。を備え、前記管理サーバが、前記デバイスと公衆通信回線を介して通信して前記デバイスに前記管理サーバへ契約コードを送信させて記録された記録契約コードの中に送信された契約コードを発見したときにデバイスに発見した契約コードに関連する既登録識別コードを返信してデバイスに返信された既登録識別コードを記録させる。  前記装置が、前記デバイスと通信して前記デバイスに装置へ識別コードと既登録識別コードとを送信させて記録された記録識別コードの中に送信された既登録識別コードを発見したときに送信された識別コードを発見された既登録識別コードに関連するグループコードに関連づけて記録する。前記装置が、前記デバイスと通信して前記デバイスに前記装置へ識別コードを送信させて記録された記録識別コードの中に送信された識別コードを発見すると発見された識別コードに関連するグループコードに対応する契約対象に関する操作指令を受け付ける。
その結果、ＩＣカード機能をもつデバイスの識別コードを契約対象に関連づけて装置に登録でき、登録されたデバイスにより装置を操作できる。
【発明の効果】
【００２２】
以上説明したように、本発明に係る登録方法は、その構成により、以下の効果を有する。
前記装置が前記既登録デバイスの識別コードを契約対象に対応するグループコードに関連づけて記録し、前記管理サーバが記録契約コードを記録し、前記デバイスと前記管理サーバとを公衆通信回線を介して通信させ前記管理サーバがデバイスに「真」状態にした認証コードを記録させ、前記デバイスと前記装置とを通信させ「真」状態である認証コードを受信したときに前記装置が記録識別コードをグループコードに関連づけて記録する様にしたので、ＩＣカード機能をもつ前記デバイスの識別コードを契約対象に関連づけて装置に登録できる。
また、前記デバイスと前記管理サーバとを公衆通信回線を介して通信させ、前記管理サーバが前記デバイスから送信された契約コードに対応する記録契約コードを記録しているときにデバイスに「真」状態の認証コードを記録させ、前記デバイスと前記装置とを通信させ、前記デバイスから送信された認証コードが「真」であるときに既登録デバイスと装置とを通信させ、前記装置が前記デバイスから送信された識別コードを既登録デバイスから送信された既登録識別コードに関連するグループコードに関連して記録する様にしたので、ＩＣカード機能をもつ前記デバイスの識別コードを契約対象に関連づけて装置に登録できる。
また、前記デバイスと前記管理サーバとを公衆通信回線を介して通信させ、前記管理サーバが前記デバイスから送信された契約コードに対応する記録契約コードを記録しているときに前記デバイスに「真」状態の認証コードを記録させ、前記デバイスと前記装置とを通信させ、前記デバイスから送信された認証コードが「真」であるときに既登録デバイスと装置とを通信させ、前記装置が前記デバイスから送信された識別コードを前記既登録デバイスから送信された既登録識別コードに関連するグループコードに関連して記録し、既登録識別コードをグループコードに関連しないように処理する様にしたので、前記既登録デバイスの既登録識別コードに替えてＩＣカード機能をもつ前記デバイスの識別コードを契約対象に関連づけて装置に登録できる。
また、前記デバイスと前記管理サーバとを公衆通信回線を介して通信させ、前記管理サーバが前記デバイスから送信された契約コードに対応する記録契約コードを記録しているときに前記デバイスに「真」状態の認証コードと既登録識別コードとを記録させ、前記デバイスと前記装置とを通信させ、前記デバイスから送信された認証コードが「真」であるときに前記デバイスから送信された識別コードを前記デバイスから送信された既登録識別コードに関連するグループコードに関連して記録する様にしたので、ＩＣカード機能をもつ前記デバイスの識別コードを契約対象に関連づけて装置に登録できる。
また、前記デバイスと前記管理サーバとを公衆通信回線を介して通信させ、前記管理サーバが前記デバイスから送信された契約コードに対応する記録契約コードを記録しているときに前記デバイスに「真」状態の認証コードと既登録識別コードとを記録させ、前記デバイスと前記装置とを通信させ、前記デバイスから送信された認証コードが「真」であるときに前記デバイスから送信された識別コードを前記デバイスから送信された既登録識別コードに関連するグループコードに関連して記録し送信された既登録識別コードを発見された既登録識別コードに関連するグループコードに関連しないように処理する様にしたので、既登録デバイスの既登録識別コードに替えてＩＣカード機能をもつ前記デバイスの識別コードを契約対象に関連づけて装置に登録できる。
また、前記デバイスと前記管理サーバとを公衆通信回線を介して通信させ、前記管理サーバが前記デバイスから送信された契約コードに対応する記録契約コードを記録しているときに前記デバイスに既登録識別コードを記録させ、前記デバイスと前記装置とを通信させ、前記デバイスから送信された既登録識別コードに関連するグループコードに関連して記録する様にしたので、ＩＣカード機能をもつ前記デバイスの識別コードを契約対象に関連づけて装置に登録できる。
【００２３】
以上説明したように、本発明に係る登録システムは、その構成により、以下の効果を有する。
前記装置が前記既登録デバイスの識別コードを契約対象に対応するグループコードに関連づけて記録し、前記管理サーバが記録契約コードを記録し、前記管理サーバが前記デバイスと公衆通信回線を介して通信して前記デバイスに「真」状態にした認証コードを記録させ、前記装置が前記デバイスと通信して「真」状態である認証コードを受信したときに記録識別コードをグループコードに関連づけて記録する様にしたので、ＩＣカード機能をもつデバイスの識別コードを契約対象に関連づけて装置に登録できる。
また、前記管理サーバが前記デバイスと公衆通信回線を介して通信して、前記デバイスから送信された契約コードに対応する記録契約コードを記録しているときに前記デバイスに「真」状態の認証コードを記録させ、前記装置が前記デバイスと通信して、前記デバイスから送信された認証コードが「真」であるときに前記既登録デバイスと前記装置とを通信させ、前記デバイスから送信された識別コードを既登録デバイスから送信された既登録識別コードに関連するグループコードに関連して記録し、前記装置が前記デバイスの識別コードを記憶しているのを発見すると関連するグループコードに対応する契約対象に対する操作指令を受け付ける様にしたので、ＩＣカード機能をもつ前記デバイスの識別コードを契約対象に関連づけて装置に登録でき、登録された前記デバイスにより装置を操作できる。
また、前記管理サーバが前記デバイスと公衆通信回線を介して通信させ、前記デバイスから送信された契約コードに対応する記録契約コードを記録しているときに前記デバイスに「真」状態の認証コードを記録させ、前記装置が前記デバイスとを通信し、前記デバイスから送信された認証コードが「真」であるときに既登録デバイスと通信して、前記デバイスから送信された識別コードを既登録デバイスから送信された既登録識別コードに関連するグループコードに関連して記録し、既登録識別コードをグループコードに関連しないように処理し、前記装置が前記デバイスの識別コードを記憶しているのを発見すると関連するグループコードに対応する契約対象に対する操作指令を受け付ける様にしたので、
、前記既登録デバイスの既登録識別コードに替えてＩＣカード機能をもつデバイスの識別コードを契約対象に関連づけて装置に登録でき、登録されたデバイスにより装置を操作できる。
また、前記管理サーバが前記デバイスと公衆通信回線を介して通信してが前記デバイスから送信された契約コードに対応する記録契約コードを記録しているときにデバイスに「真」状態の認証コードと既登録識別コードとを記録させ、前記装置が前記デバイスと通信して、前記デバイスから送信された認証コードが「真」であるときに前記デバイスから送信された識別コードを前記デバイスから送信された既登録識別コードに関連するグループコードに関連して記録し、前記装置が前記デバイスの識別コードを記憶しているのを発見すると関連するグループコードに対応する契約対象に対する操作指令を受け付ける様にしたので、ＩＣカード機能をもつデバイスの識別コードを契約対象に関連づけて装置に登録でき、登録されたデバイスにより装置を操作できる。
また、前記管理サーバが前記デバイスと公衆通信回線を介して通して前記デバイスから送信された契約コードに対応する記録契約コードを記録しているときに前記デバイスに「真」状態の認証コードと既登録識別コードとを記録させ、前記装置が前記デバイスと通信して、前記デバイスから送信された認証コードが「真」であるときに前記デバイスから送信された識別コードを前記デバイスから送信された既登録識別コードに関連するグループコードに関連して記録し送信された既登録識別コードを発見された既登録識別コードに関連するグループコードに関連しないように処理し、前記装置が前記デバイスの識別コードを記憶しているのを発見すると関連するグループコードに対応する契約対象に対する操作指令を受け付ける様にしたので、既登録デバイスの既登録識別コードに換えてＩＣカード機能をもつ前記デバイスの識別コードを契約対象に関連づけて装置に登録でき、登録されたデバイスにより装置を操作できる。
また、前記管理サーバが前記デバイスと公衆通信回線を介して通信してが前記デバイスから送信された契約コードに対応する記録契約コードを記録しているときに前記デバイスに既登録識別コードを記録させ、前記装置が前記デバイスと通信して、前記デバイスから送信された既登録識別コードに関連するグループコードに関連して記録し、前記装置が前記デバイスの識別コードを記憶しているのを発見すると関連するグループコードに対応する契約対象に対する操作指令を受け付ける様にしたので、ＩＣカード機能をもつデバイスの識別コードを契約対象に関連づけて装置に登録でき、登録されたデバイスにより装置を操作できる。
従って、簡易な手続きによりＩＣカード機能をもつ前記デバイスを装置に登録する登録方法と登録システムを提供できる。
【図面の簡単な説明】
【００２４】
【図１】本発明の第一乃至第八の実施形態に係る登録システムの概念図である。
【図２】本発明の第一乃至第八の実施形態に係るデバイスの概念図である。
【図３】本発明の第七、八の実施形態に係る装置のデータ構造図である。
【図４】本発明の第七、八の実施形態に係る管理サーバのデータ構造図である。
【図５】本発明の第七の実施形態に係る登録方法の機能しくみ図である。
【図６】本発明の第七の実施形態に係る登録方法のフローチャート図である。
【図７】本発明の第八の実施形態に係る登録方法の機能しくみ図である。
【図８】本発明の第八の実施形態に係る登録方法のフローチャート図である。
【発明を実施するための形態】
【００２５】
以下、本発明を実施するための登録方法と登録システムを、説明する。
【００２６】
最初に、本発明の第一の実施形態にかかる登録方法と登録システムとを説明する。
図１は、本発明の第一乃至第八の実施形態に係る登録システムの概念図である。図２は、本発明の第一乃至第八の実施形態に係るデバイスの概念図である。
【００２７】
本発明の第一の実施形態にかかる駐車装置は、ＩＣカード機能をもつデバイス１０に記録される識別コードを所定の契約コードに対応した契約対象を含む装置２０に登録する登録方法は、準備工程と第一工程と第二工程とで構成される。
【００２８】
準備工程は、既登録デバイス１１と装置２０と管理サーバ３０とを準備する工程である。
既登録デバイス１１は、既登録の識別コードである既登録識別コードを記録する既登録のデバイスである。
デバイスは、ＩＣカード機能をもつ。
ＩＣカード機能は、ＩＣカードを識別できる識別コードを内部メモリに記録する。
既に登録されるデバイス１０を既登録デバイス１１と呼称する。
例えば、デバイス１０は、ＩＣカードである。
例えば、デバイス１０は、ＩＣカード機能をもつ携帯電話１２である。
【００２９】
装置２０は、予め既登録識別コードに対応する記録識別コードを契約対象に対応するグループコードに関連づけて記録する。
例えば、装置２０は、駐車装置である。
例えば、装置２０は、デバイスと非接触ＩＣチップリーダ／ライタを内蔵する。
非接触ＩＣチップリーダ／ライタは、無線によりＩＣ機能のメモリとデータのリード／ライトできる。
例えば、装置２０は、利用者に情報を伝え、利用者から情報を得るためのコミュニケーション・インターフェースをもつ。
例えば、コミュニケーション・インターフェースは音声ガイダンス、液晶表示器、等である。
例えば、装置２０は、コミュニケーション・インターフェース、非接触ＩＣチップリーダ／ライタ、他を制御するための制御部をもつ。
例えば、装置２０はメモリを持つ。
例えば、メモリはデータ構造をもつ。
例えば、データ構造は、グループコードと記録認証コードとで構成される。
複数のグループコードが、単数または複数の記録認証コードに各々に関連して記録される。
単数または複数の記録認証コードのうちの少なくとも１つの記録認証コードは、既登録識別コードに対応する。
グループコードは、契約対象に対応する。
例えば、グループコードは、駐車空間または駐車パレットに対応する。
駐車パレットは、駐車空間に車両を格納するために車両を乗せる構造体である。
記録認証コードは、デバイス１０に記録される認証コードに対応する。
【００３０】
装置２０は、デバイス１０と通信して、デバイス１０に装置２０へ識別コードを送信させて、記録された記録識別コードの中に送信された識別コードを発見すると発見された識別コードに関連するグループコードに対応する契約対象に関する操作指令を受け付ける。
【００３１】
管理サーバ３０は、予め契約コードに対応する記録契約コードを記録する。
契約コードは契約対象に対応する。
管理サーバ３０は、公衆通信回線を介して通信可能である。
例えば、管理サーバ３０は、インターネットのＵＲＬを割り当てられており、携帯電話通信アプリケーションとデータベースソフトとで構成される。
例えば、管理サーバ３０は、携帯電話通信アプリケーションを用いて、携帯電話網を介して携帯電話と通信できる。
データベースソフトは、管理データを管理する。
例えば、管理データのデータ構造は、記録契約コードで構成される。
記録契約コードは、契約コードに対応する。
【００３２】
第一工程は、デバイス１０と管理サーバ３０とを公衆通信回線を介して通信させ、所定の手続きによりデバイスに「真」状態にした認証コードを返信し、デバイスが返信された認証コードを記録する工程である。
管理サーバ３０がデバイス１０と公衆通信回線を介して通信して所定の手続きによりデバイスに「真」状態にした認証コードを返信し、デバイス１０に返信された認証コードを記録させてもよい。
【００３３】
以下に、第一工程を手順毎に説明する。
使用者が、デバイス１０を操作して、デバイス１０と管理サーバ３０とを公衆通信回線を介して通信させる。
使用者が、デバイス１０にデータをキーインして、データを管理サーバ３０へ送信する。
管理サーバ３０が、所定の手続きによりデバイス１０に「真」状態にした認証コードを送信する。
デバイス１０が、送信された認証コードを記録する。
【００３４】
第二工程は、デバイス１０と装置２０とを通信させ、デバイス１０が装置２０へ認証コードと識別コードとを送信し、装置２０が「真」状態である認証コードを受信したときに所定の手続きにより識別コードに対応する記録識別コードを既登録識別コードに関連するグループコードに関連づけて記録する工程である。
例えば、装置２０が、デバイス１０と通信し、デバイス１０に装置２０へ認証コードと識別コードとを送信させ、「真」状態である認証コードを受信したときに所定の手続きにより識別コードに対応する記録識別コードを既登録識別コードに関連するグループコードに関連づけて記録してもよい。
【００３５】
以下に、第二工程を手順毎に説明する。
使用者が、デバイス１０を操作して、デバイス１０と装置２０とを通信させる。
デバイス１０が、装置２０へ認証コードと識別コードとを送信する。
装置２０が、「真」状態である認証コードを受信したときに、所定の手続きにより識別コードに対応する記録識別コードを既登録識別コードに関連するグループコードに関連づけて記録する。
【００３６】
上記の様にした後で、使用者がデバイス１０を操作して、デバイス１０と装置２０とを通信させ、デバイス１０が装置２０に識別コードを送信すると、装置は、記録された記録識別コードの中に送信された識別コードを発見するので、発見された識別コードに関連するグループコードに対応する契約対象に関する操作指令を受け付ける。
その結果、使用者は駐車装置を操作することをでき、車両を入庫または出庫させることをできる。
【００３７】
次に、本発明の第二の実施形態に係る登録方法と登録システムを説明する。
本発明の第二の実施形態にかかる駐車装置は、ＩＣカード機能をもつデバイス１０に記録される識別コードを所定の契約コードに対応した契約対象を含む装置２０に登録する登録方法は、準備工程と第一工程と第二工程とで構成される。
【００３８】
準備工程は、既登録デバイス１１と装置２０と管理サーバ３０とを準備する工程である。
既登録デバイス１１は、既登録の識別コードである既登録識別コードを記録する既登録のデバイスである。
デバイスは、ＩＣカード機能をもつ。
ＩＣカード機能は、ＩＣカードを識別できる識別コードを内部メモリに記録する。
既に登録されるデバイス１０を既登録デバイス１１と呼称する。
例えば、デバイス１０は、ＩＣカードである。
例えば、デバイス１０は、ＩＣカード機能をもつ携帯電話である。
【００３９】
装置２０は、予め既登録識別コードに対応する記録識別コードを契約対象に対応するグループコードに関連づけて記録する。
例えば、装置２０は、駐車装置である。
例えば、装置２０は、デバイスと非接触ＩＣチップリーダ／ライタを内蔵する。
非接触ＩＣチップリーダ／ライタは、無線によりＩＣ機能のメモリとデータのリード／ライトできる。
例えば、装置２０は、利用者に情報を伝え、利用者から情報を得るためのコミュニケーション・インターフェースをもつ。
例えば、コミュニケーション・インターフェースは音声ガイダンス、液晶表示器、等である。
例えば、装置２０は、コミュニケーション・インターフェース、非接触ＩＣチップリーダ／ライタ、他を制御するための制御部をもつ。
例えば、装置２０はメモリを持つ。
例えば、メモリはデータ構造をもつ。
例えば、データ構造は、グループコードと記録認証コードとで構成される。
複数のグループコードが、単数または複数の記録認証コードに各々に関連して記録される。
単数または複数の記録認証コードのうちの少なくとも１つの記録認証コードは、既登録識別コードに対応する。
グループコードは、契約対象に対応する。
例えば、グループコードは、駐車空間または駐車パレットに対応する。
駐車パレットは、駐車空間に車両を格納するために車両を乗せる構造体である。
記録認証コードは、デバイス１０に記録される認証コードに対応する。
【００４０】
装置２０は、デバイス１０と通信して、デバイス１０に装置２０へ識別コードを送信させて、記録された記録識別コードの中に送信された識別コードを発見すると発見された識別コードに関連するグループコードに対応する契約対象に関する操作指令を受け付ける。
【００４１】
管理サーバ３０は、予め契約コードに対応する記録契約コードを記録する。
契約コードは契約対象に対応する。
管理サーバ３０は、公衆通信回線を介して通信可能である。
例えば、管理サーバ３０は、インターネットのＵＲＬを割り当てられており、携帯電話通信アプリケーションとデータベースソフトとで構成される。
例えば、管理サーバ３０は、携帯電話通信アプリケーションを用いて携帯電話網を介して携帯電話と通信できる。
データベースソフトは、管理データを管理する。
例えば、管理データのデータ構造は、記録契約コードで構成される。
記録契約コードは、契約コードに対応する。
【００４２】
第一工程は、デバイス１０と管理サーバ３０とを公衆通信回線を介して通信させ、デバイス１０が管理サーバ３０へ契約コードを送信し、管理サーバが記録された記録契約コードの中に送信された契約コードを発見したときにデバイスに「真」状態にした認証コードを返信しデバイスが返信された認証コードを記録する工程である。
管理サーバ３０が、デバイス１０と公衆通信回線を介して通信して、デバイス１０に管理サーバ３０へ契約コードを送信させて、記録された記録契約コードの中に送信された契約コードを発見したときにデバイスに「真」状態にした認証コードを返信して、デバイスに返信された認証コードを記録させてもよい。
【００４３】
以下に、第一工程を手順毎に説明する。
使用者が、デバイス１０を操作して、デバイス１０と管理サーバ３０とを公衆通信回線を介して通信させる。
例えば、使用者が、携帯電話１２を操作してＱＲコードを読み取らせ、携帯電話１２がＱＲコードを解読して得たＵＲＬを利用して携帯電話網を介して管理サーバ３０に通信する。
使用者が、デバイス１０に契約コードを入力し、デバイス１０に管理サーバ３０へ契約コードを送信させる。
例えば、使用者が携帯電話１２の画面を見ながら契約コードをキー入力し、契約コードを送信させる。
例えば、使用者が携帯電話１２の画面を見ながら契約コードをキー入力し、契約コードと識別コードとを送信させる。
管理サーバ３０が、記録された記録契約コードの中に送信された契約コードを発見したときにデバイスに「真」状態にした認証コードを返信する。
デバイス１０が、返信された認証コードを記録する。
【００４４】
第二工程は、デバイス１０と装置２０とを通信させ、デバイス１０が装置２０へ認証コードと識別コードとを送信し、装置２０が、「真」状態である認証コードを受信したときに既登録デバイス１１と装置２０と通信させて、既登録デバイス１１が装置２０へ既登録識別コードを送信し、装置２０が記録された記録識別コードの中に送信された既登録識別コードを発見したときに識別コードに対応する記録識別コードを発見された既登録識別コードに関連するグループコードに関連づけて記録する工程である。
第二工程は、デバイス１０と装置２０とを通信させ、デバイス１０が装置２０へ認証コードと識別コードとを送信し、装置２０が「真」状態である認証コードを受信したときに既登録デバイスと装置との通信を要求して、要求に応じて既登録デバイス１１と装置２０と通信させて、既登録デバイス１１が装置２０へ既登録識別コードを送信し、装置２０が記録された記録識別コードの中に送信された既登録識別コードを発見したときに識別コードに対応する記録識別コードを発見された既登録識別コードに関連するグループコードに関連づけて記録してもよい。
装置が、デバイスと通信して、デバイスに装置へ認証コードと識別コードとを送信させて、「真」状態である認証コードを受信したときに既登録デバイスと通信して、既登録デバイスに装置へ既登録識別コードを送信させて記録された記録識別コードの中に送信された既登録識別コードを発見したときに識別コードに対応する記録識別コードを発見された既登録識別コードに関連するグループコードに関連づけて記録してもよい。
装置が、デバイスと通信して、デバイスに装置へ認証コードと識別コードとを送信させて、「真」状態である認証コードを受信したときに既登録デバイスとの通信を要求して、要求に応じて既登録デバイスと通信して、既登録デバイスに装置へ既登録識別コードを送信させて記録された記録識別コードの中に送信された既登録識別コードを発見したときに識別コードに対応する記録識別コードを発見された既登録識別コードに関連するグループコードに関連づけて記録してもよい。
【００４５】
以下に、第二工程を手順毎に説明する。
使用者が、デバイス１０を操作して、デバイス１０と装置２０とを通信させる。
例えば、使用者がデバイス１０を装置２０の非接触ＩＣチップリーダ／ライタにかざして、デバイス１０と装置２０とを通信させる。
デバイス１０が、装置２０へ認証コードと識別コードとを送信する。
装置２０が、「真」状態である認証コードを受信したときに、既登録デバイス１１と装置２０と通信させる。
装置２０が、「真」状態である認証コードを受信したときに、既登録デバイスと装置との通信を要求して、既登録デバイス１１と装置２０と通信させてもよい。
例えば、装置２０が、「真」状態である認証コードを受信したときに、既登録デバイスと装置との通信を要求する、使用者が要求に応じて既登録デバイス１１と装置とを通信させる。
例えば、使用者が、要求に応じて既登録デバイス１１を装置２０の非接触ＩＣチップリーダ／ライタにかざして、既登録デバイス１１と装置２０とを通信させる。
既登録デバイスに装置へ既登録識別コードを送信させる。
例えば、既登録デバイス１１が、装置２０へ既登録識別コードを送信する。
装置２０が、記録された記録識別コードの中に送信された既登録識別コードを発見したときに、識別コードに対応する記録識別コードを発見された既登録識別コードに関連するグループコードに関連づけて記録する。
【００４６】
上記の様にした後で、使用者がデバイス１０を操作して、デバイス１０と装置２０とを通信させ、デバイス１０が装置２０に識別コードを送信すると、装置は、記録された記録識別コードの中に送信された識別コードを発見するので、発見された識別コードに関連するグループコードに対応する契約対象に関する操作指令を受け付ける。
装置は、記録された記録識別コードの中に送信された識別コードを発見しないと、発見された識別コードに関連するグループコードに対応する契約対象に関する操作指令を受け付けない。
その結果、使用者は駐車装置を操作することをでき、車両を入庫または出庫させることをできる。
【００４７】
次に、本発明の第三の実施形態に係る登録方法と登録システムを説明する。
本発明の第二の実施形態にかかる駐車装置は、ＩＣカード機能をもつデバイス１０に記録される識別コードを所定の契約コードに対応した契約対象を含む装置２０に登録する登録方法は、準備工程と第一工程と第二工程とで構成される。
【００４８】
準備工程と第一工程とは、第二の実施形態にかかる登録方法と登録システムのものと同じなので、説明を省略する。
【００４９】
第二工程は、デバイス１０と装置２０とを通信させ、デバイス１０が装置２０へ認証コードと識別コードとを送信し、装置２０が「真」状態である認証コードを受信したときに既登録デバイス１１と装置２０と通信させて、既登録デバイス１１が装置２０へ既登録識別コードを送信し、装置２０が記録された記録識別コードの中に送信された既登録識別コードを発見したときに識別コードに対応する記録識別コードを発見された既登録識別コードに関連するグループコードに関連づけて記録し、送信された既登録識別コードを発見された既登録識別コードに関連するグループコードに関連しないように処理する工程である。
第二工程は、デバイス１０と装置２０とを通信させ、デバイス１０が装置２０へ認証コードと識別コードとを送信し、装置２０が「真」状態である認証コードを受信したときに既登録デバイス１１と装置２０との通信を要求して、要求に応じて既登録デバイス１１と装置２０と通信させて、既登録デバイス１１が装置２０へ既登録識別コードを送信し、装置２０が記録された記録識別コードの中に送信された既登録識別コードを発見したときに識別コードに対応する記録識別コードを発見された既登録識別コードに関連するグループコードに関連づけて記録し、送信された既登録識別コードを発見された既登録識別コードに関連するグループコードに関連しないように処理してもよい。
装置２０が、デバイス１０と通信して、デバイス１０に装置２０へ認証コードと識別コードとを送信させて、「真」状態である認証コードを受信したときに既登録デバイス１１と通信して、既登録デバイス１１に装置２０へ既登録識別コードを送信させ、記録された記録識別コードの中に送信された既登録識別コードを発見したときに識別コードに対応する記録識別コードを発見された既登録識別コードに関連するグループコードに関連づけて記録し、送信された既登録識別コードを発見された既登録識別コードに関連するグループコードに関連しないように処理してもよい。
装置２０が、デバイス１０と通信して、デバイス１０に装置２０へ認証コードと識別コードとを送信させて、「真」状態である認証コードを受信したときに既登録デバイス１１との通信を要求して、既登録デバイス１１と通信して、既登録デバイス１１に装置２０へ既登録識別コードを送信させ、記録された記録識別コードの中に送信された既登録識別コードを発見したときに識別コードに対応する記録識別コードを発見された既登録識別コードに関連するグループコードに関連づけて記録し、送信された既登録識別コードを発見された既登録識別コードに関連するグループコードに関連しないように処理してもよい。
【００５０】
以下に、第二工程を手順毎に説明する。
使用者が、デバイス１０を操作して、デバイス１０と装置２０とを通信させる。
例えば、使用者がデバイス１０を装置２０の非接触ＩＣチップリーダ／ライタにかざして、デバイス１０と装置２０とを通信させる。
デバイス１０が、装置２０へ認証コードと識別コードとを送信する。
装置２０が「真」状態である認証コードを受信したときに既登録デバイス１１と装置２０と通信させる。
装置２０が「真」状態である認証コードを受信したときに、既登録デバイスと装置との通信を要求して、既登録デバイス１１と装置２０と通信させてもよい。
例えば、装置２０が、「真」状態である認証コードを受信したときに、既登録デバイス１１と装置２０との通信を要求する、使用者が要求に応じて既登録デバイス１１と装置２０とを通信させる。
例えば、使用者が、要求に応じて既登録デバイス１１を装置２０の非接触ＩＣチップリーダ／ライタにかざして、既登録デバイス１１と装置２０とを通信させる。
既登録デバイス１１に装置２０へ既登録識別コードを送信させる。
例えば、既登録デバイス１１が装置２０へ既登録識別コードを送信する。
装置２０が、記録された記録識別コードの中に送信された既登録識別コードを発見したときに、識別コードに対応する記録識別コードを発見された既登録識別コードに関連するグループコードに関連づけて記録する。
装置２０が、送信された既登録識別コードを発見された既登録識別コードに関連するグループコードに関連しないように処理する。
例えば、既登録識別コードに関連する削除フラグを「オン」にする。
例えば、既登録識別コードに他のデータを上書きする。例えば、他のデータが「ＦＦＦ・・・・ＦＦ」、「０００・・・０００｝である。
【００５１】
上記の様にした後で、使用者がデバイス１０を操作して、デバイス１０と装置２０とを通信させ、デバイス１０が装置２０に識別コードを送信すると、装置は、記録された記録識別コードの中に送信された識別コードに対応する記録識別コードを発見するので、発見された識別コードに関連するグループコードに対応する契約対象に関する操作指令を受け付ける。
また、使用者が登録を抹消された既登録デバイス１１を操作して、デバイス１０と装置２０とを通信させ、デバイス１０が装置２０に識別コードを送信すると、装置は、記録された記録識別コードの中に送信された識別コードに対応する記録識別コードを発見しないので、発見された識別コードに関連するグループコードに対応する契約対象に関する操作指令を受け付けない。
その結果、使用者は新たに登録したデバイス１０で駐車装置を操作することをでき、車両を入庫または出庫させることをできる。
【００５２】
次に、本発明の第四の実施形態に係る登録方法と登録システムを説明する。
本発明の第四の実施形態にかかる駐車装置は、ＩＣカード機能をもつデバイス１０に記録される識別コードを所定の契約コードに対応した契約対象を含む装置２０に登録する登録方法は、準備工程と第一工程と第二工程とで構成される。
【００５３】
準備工程は、既登録デバイス１１と装置２０と管理サーバ３０とを準備する工程である。
既登録デバイス１１は、既登録の識別コードである既登録識別コードを記録する既登録のデバイスである。
デバイス１０は、ＩＣカード機能をもつ。
ＩＣカード機能は、ＩＣカードを識別できる識別コードを内部メモリに記録する。
既に登録されるデバイス１０を既登録デバイス１１と呼称する。
例えば、デバイス１０は、ＩＣカードである。
例えば、デバイス１０は、ＩＣカード機能をもつ携帯電話である。
【００５４】
装置２０は、予め既登録識別コードに対応する記録識別コードを契約対象に対応するグループコードに関連づけて記録する。
例えば、装置２０は、駐車装置である。
例えば、装置２０は、デバイスと非接触ＩＣチップリーダ／ライタを内蔵する。
非接触ＩＣチップリーダ／ライタは、無線によりＩＣ機能のメモリとデータのリード／ライトできる。
例えば、装置２０は、利用者に情報を伝え、利用者から情報を得るためのコミュニケーション・インターフェースをもつ。
例えば、コミュニケーション・インターフェースは音声ガイダンス、液晶表示器、等である。
例えば、装置２０は、コミュニケーション・インターフェース、非接触ＩＣチップリーダ／ライタ、他を制御するための制御部をもつ。
例えば、装置２０はメモリを持つ。
例えば、メモリはデータ構造をもつ。
例えば、データ構造は、グループコードと記録認証コードとで構成される。
複数のグループコードが、単数または複数の記録認証コードに各々に関連して記録される。
単数または複数の記録認証コードのうちの少なくとも１つの記録認証コードは、既登録識別コードに対応する。
グループコードは、契約対象に対応する。
例えば、グループコードは、駐車空間または駐車パレットに対応する。
駐車パレットは、駐車空間に車両を格納するために車両を乗せる構造体である。
記録認証コードは、デバイス１０に記録される認証コードに対応する。
【００５５】
装置２０は、デバイス１０と通信して、デバイス１０に装置２０へ識別コードを送信させて、記録された記録識別コードの中に送信された識別コードを発見すると発見された識別コードに関連するグループコードに対応する契約対象に関する操作指令を受け付ける。
【００５６】
管理サーバ３０は、予め契約コードに対応する記録契約コードと既登録識別コードに対応する記録識別コードとを互いに関連づけて記録する。
契約コードは契約対象に対応する。
管理サーバ３０は、公衆通信回線を介して通信可能である。
例えば、管理サーバ３０は、インターネットのＵＲＬを割り当てられており、携帯電話通信アプリケーションとデータベースソフトとで構成される。
例えば、携帯電話通信アプリケーションは、携帯電話網を介して携帯電話と通信できる。
データベースソフトは、管理データを管理する。
例えば、管理データのデータ構造は、記録契約コードと記録識別コードとで構成される。
複数の記録契約コードは、単数または複数の記録識別コードに各々に関連して記録される。
記録契約コードは、契約コードに対応する。
記録識別コードは、デバイス１０に記録される識別コードに対応する。
単数または複数の記録識別コードの少なくとも１つの記録識別コードは、既登録識別コードに対応する。
【００５７】
第一工程は、デバイス１０と管理サーバ３０とを公衆通信回線を介して通信させ、デバイス１０が管理サーバ３０へ契約コードを送信し、管理サーバ３０が記録された記録契約コードの中に送信された契約コードを発見したときにデバイス１０に「真」状態にした認証コードと発見した契約コードに関連する既登録識別コードとを返信し、デバイス１０は返信された認証コードと既登録識別コードとを記録する工程である。
管理サーバ３０が、デバイス１０と公衆通信回線を介して通信して、デバイス１０に管理サーバへ契約コードを送信させて、記録された記録契約コードの中に送信された契約コードを発見したときにデバイス１０に「真」状態にした認証コードと発見した契約コードに関連する既登録識別コードとを返信して、デバイス１０に返信された認証コードと既登録識別コードとを記録させてもよい。
【００５８】
以下に、第一工程を手順毎に説明する。
使用者が、デバイス１０を操作して、デバイス１０と管理サーバ３０とを公衆通信回線を介して通信させる。
例えば、使用者が、携帯電話１２を操作してＱＲコードを読み取らせ、携帯電話１２がＱＲコードを解読して得たＵＲＬを利用して携帯電話網を介して管理サーバ３０に通信する。
使用者が、デバイス１０に契約コードを入力し、デバイス１０に管理サーバ３０へ契約コードを送信させる。
例えば、使用者が携帯電話１２の画面を見ながら契約コードをキー入力し、送信させる。
管理サーバ３０が、記録された記録契約コードの中に送信された契約コードを発見したときに、デバイスに「真」状態にした認証コードと発見した契約コードに関連する既登録識別コードとを返信する。
デバイス１０が、返信された認証コードと既登録識別コードとを記録する。
【００５９】
第二工程は、デバイス１０と装置２０とを通信させ、デバイス１０が装置２０へ認証コードと識別コードと既登録識別コードとを送信し、装置が「真」状態である認証コードを受信し記録された記録識別コードの中に送信された既登録識別コードを発見したときに送信された識別コードを発見された既登録識別コードに関連するグループコードに関連づけて記録する。
装置２０が、デバイス１０と通信してデバイス１０に装置２０へ認証コードと識別コードと既登録識別コードとを送信させて「真」状態である認証コードを受信し記録された記録識別コードの中に送信された既登録識別コードを発見したときに送信された識別コードを発見された既登録識別コードに関連するグループコードに関連づけて記録してもよい。
【００６０】
以下に、第二工程を手順毎に説明する。
使用者が、デバイス１０を操作して、デバイス１０と装置２０とを通信させる。
例えば、使用者がデバイス１０を装置２０の非接触ＩＣチップリーダ／ライタにかざして、デバイス１０と装置２０とを通信させる。
デバイス１０が、装置２０へ認証コードと識別コードと既登録識別コードとを送信する。
装置２０が、「真」状態である認証コードを受信し記録された記録識別コードの中に送信された既登録識別コードを発見したときに送信された識別コードを発見された既登録識別コードに関連するグループコードに関連づけて記録する。
すなわち、装置２０が、「真」状態である認証コードを受信し記録された記録識別コードの中に送信された既登録識別コードを発見したときに、送信された識別コードを発見された既登録識別コードに対応する既登録識別コードに関連するグループコードに関連づけて記録する。
【００６１】
上記の様にした後で、使用者がデバイス１０を操作して、デバイス１０と装置２０とを通信させ、デバイス１０が装置２０に識別コードを送信すると、装置は、記録された記録識別コードの中に送信された識別コードに対応する記録識別コードを発見するので、発見された識別コードに関連するグループコードに対応する契約対象に関する操作指令を受け付ける。
その結果、使用者は駐車装置を操作することをでき、車両を入庫または出庫させることをできる。
【００６２】
次に、本発明の第五の実施形態に係る登録方法と登録システムを説明する。
本発明の第五の実施形態にかかる駐車装置は、ＩＣカード機能をもつデバイス１０に記録される識別コードを所定の契約コードに対応した契約対象を含む装置２０に登録する登録方法は、準備工程と第一工程と第二工程とで構成される。
【００６３】
準備工程と第一工程とは、第四の実施形態にかかる登録方法と登録システムのものと同じなので、説明を省略する。
【００６４】
第二工程は、デバイス１０と装置２０とを通信させ、デバイス１０が装置２０へ認証コードと識別コードと既登録識別コードとを送信させ、装置２０が「真」状態である認証コードを受信し記録された記録識別コードの中に送信された既登録識別コードを発見したときに送信された識別コードを発見された既登録識別コードに関連するグループコードに関連づけて記録し送信された既登録識別コードを発見された既登録識別コードに関連するグループコードに関連しないように処理する。
装置２０が、デバイス１０と通信して、デバイス１０に装置２０へ認証コードと識別コードと既登録識別コードとを送信させて、「真」状態である認証コードを受信し記録された記録識別コードの中に送信された既登録識別コードを発見したときに送信された識別コードを発見された既登録識別コードに関連するグループコードに関連づけて記録し送信された既登録識別コードを発見された既登録識別コードに関連するグループコードに関連しないように処理してもよい。
【００６５】
以下に、第二工程を手順毎に、説明する。
使用者が、デバイス１０を操作して、デバイス１０と装置２０とを通信させる。
例えば、使用者がデバイス１０を装置２０の非接触ＩＣチップリーダ／ライタにかざして、デバイス１０と装置２０とを通信させる。
デバイス１０が、装置２０へ認証コードと識別コードと既登録識別コードとを送信する。
装置２０が、デバイス１０と通信してデバイス１０に装置２０へ認証コードと識別コードと既登録識別コードとを送信させて、「真」状態である認証コードを受信し記録された記録識別コードの中に送信された既登録識別コードを発見したときに送信された識別コードを発見された既登録識別コードに関連するグループコードに関連づけて記録する。
装置が、送信された既登録識別コードを発見された既登録識別コードに関連するグループコードに関連しないように処理する。
例えば、既登録識別コードに関連する削除フラグを「オン」にする。
例えば、既登録識別コードに他のデータを上書きする。例えば、他のデータが「ＦＦＦ・・・・ＦＦ」、「０００・・・０００｝である。
【００６６】
上記の様にした後で、使用者がデバイス１０を操作して、デバイス１０と装置２０とを通信させ、デバイス１０が装置２０に識別コードを送信すると、装置は、記録された記録識別コードの中に送信された識別コードに対応する記録識別コードを発見するので、発見された識別コードに関連するグループコードに対応する契約対象に関する操作指令を受け付ける。
また、使用者が登録を抹消された既登録デバイス１１を操作して、デバイス１０と装置２０とを通信させ、デバイス１０が装置２０に識別コードを送信すると、装置は、記録された記録識別コードの中に送信された識別コードに対応する記録識別コードを発見しないので、発見された識別コードに関連するグループコードに対応する契約対象に関する操作指令を受け付けない。
その結果、使用者は新たに登録したデバイス１０で駐車装置を操作することをでき、車両を入庫または出庫させることをできる。
【００６７】
次に、本発明の第六の実施形態に係る登録方法と登録システムを説明する。
本発明の第六の実施形態にかかる駐車装置は、ＩＣカード機能をもつデバイス１０に記録される識別コードを所定の契約コードに対応した契約対象を含む装置２０に登録する登録方法は、準備工程と第一工程と第二工程とで構成される。
【００６８】
準備工程は、第五の実施形態にかかる登録方法と登録システムのものと同じなので、説明を省略する。
【００６９】
第一工程は、デバイス１０と管理サーバ３０とを公衆通信回線を介して通信させ、デバイス１０が管理サーバ３０へ契約コードを送信し、管理サーバ３０が記録された記録契約コードの中に送信された契約コードを発見したときにデバイス１０に発見した契約コードに関連する既登録識別コードを返信しデバイスは返信された既登録識別コードを記録する工程である。
管理サーバ３０が、デバイス１０と公衆通信回線を介して通信して、デバイス１０に管理サーバへ契約コードを送信させて、記録された記録契約コードの中に送信された契約コードを発見したときにデバイスに発見した契約コードに関連する既登録識別コードを返信してデバイスに返信された既登録識別コードを記録させてもよい。
【００７０】
以下に、第一工程を手順毎に説明する。
使用者が、デバイス１０を操作して、デバイス１０と管理サーバ３０とを公衆通信回線を介して通信させる。
例えば、使用者が、携帯電話１２を操作してＱＲコードを読み取らせ、携帯電話１２がＱＲコードを解読して得たＵＲＬを利用して携帯電話網を介して管理サーバ３０に通信する。
使用者が、デバイス１０に契約コードを入力し、デバイス１０に管理サーバ３０へ契約コードを送信させる。
例えば、使用者が、携帯電話１２の画面を見ながら契約コードをキー入力し、送信させる。
管理サーバ３０が、記録された記録契約コードの中に送信された契約コードを発見したときに、発見した契約コードに関連する既登録識別コードとを返信する。
デバイス１０が、返信された既登録識別コードを記録する。
【００７１】
第二工程は、デバイス１０と装置２０とを通信させ、デバイス１０が装置２０へ識別コードと既登録識別コードとを送信させ、装置２０が記録された記録識別コードの中に送信された既登録識別コードを発見したときに送信された識別コードを発見された既登録識別コードに関連するグループコードに関連づけて記録する工程である。
装置２０が、デバイス１０と通信して、デバイス１０に装置２０へ識別コードと既登録識別コードとを送信させて、記録された記録識別コードの中に送信された既登録識別コードを発見したときに送信された識別コードを発見された既登録識別コードに関連するグループコードに関連づけて記録してもよい。
【００７２】
以下に、第二工程を、手順毎に説明する。
使用者が、デバイス１０を操作して、デバイス１０と装置２０とを通信させる。
例えば、使用者がデバイス１０を装置２０の非接触ＩＣチップリーダ／ライタにかざして、デバイス１０と装置２０とを通信させる。
デバイス１０が、装置２０へ識別コードと既登録識別コードとを送信する。
装置２０が、記録された記録識別コードの中に送信された既登録識別コードを発見したときに送信された識別コードを発見された既登録識別コードに関連するグループコードに関連づけて記録する。
すなわち、装置２０が、記録された記録識別コードの中に送信された既登録識別コードを発見したときに、送信された識別コードを発見された既登録識別コードに対応する既登録識別コードに関連するグループコードに関連づけて記録する。
【００７３】
次に、本発明の第七の実施形態にかかる登録方法と登録システムを、図を基に、説明する。
図３は、本発明の第七、八の実施形態に係る装置のデータ構造図である。図４は、本発明の第七、八の実施形態に係る管理サーバのデータ構造図である。図５は、本発明の第七の実施形態に係る登録方法の機能しくみ図である。図６は、本発明の第七の実施形態に係る登録方法のフローチャート図である。
第七の実施形態にかかる登録方法と登録システムは、第二の実施形態にかかる登録方法と登録システムの実施形態の一例でもある。
図中で、「契約番号」が契約コードに相当し、「携帯ＩＤ」が認識コードに相当し、「登録完了コード」が認証コードに相当する。
【００７４】
本発明の第七の実施形態にかかる駐車装置は、ＩＣカード機能をもつデバイス１０に記録される識別コードを所定の契約コードに対応した契約対象を含む装置２０に登録する登録方法は、準備工程と第一工程と第二工程とで構成される。
【００７５】
準備工程は、既登録デバイス１１と装置２０と管理サーバ３０とを準備する工程である。
既登録デバイス１１は、既登録の識別コードである既登録識別コードを記録する既登録のデバイスである。
デバイス１０は、ＩＣカード機能をもつ。
ＩＣカード機能は、ＩＣカードを識別できる識別コードを内部メモリに記録する。
既に登録されるデバイス１０を既登録デバイス１１と呼称する。
例えば、デバイス１０は、ＩＣカードである。
例えば、デバイス１０は、ＩＣカード機能をもつ携帯電話である。
【００７６】
装置２０は、予め既登録識別コードに対応する記録識別コードを契約対象に対応するグループコードに関連づけて記録する。
例えば、装置２０は、駐車装置である。
例えば、装置２０は、デバイスと非接触ＩＣチップリーダ／ライタを内蔵する。
非接触ＩＣチップリーダ／ライタは、無線によりＩＣ機能のメモリとデータのリード／ライトできる。
例えば、装置２０は、利用者に情報を伝え、利用者から情報を得るためのコミュニケーション・インターフェースをもつ。
例えば、コミュニケーション・インターフェースは音声ガイダンス、液晶表示器、等である。
例えば、装置２０は、コミュニケーション・インターフェース、非接触ＩＣチップリーダ／ライタ、他を制御するための制御部をもつ。
例えば、装置２０はメモリを持つ。
例えば、メモリはデータ構造をもち。
例えば、データ構造は、グループコードとサブコードと記録認証コードとカード種別と車種とパレットと有効期限とでで構成される。
複数のグループコードが、単数または複数のサブコードと記録認証コードとカード種別と車種とパレットと有効期限とに各々に関連して記録される。
単数または複数の記録認証コードのうちの少なくとも１つの記録認証コードは、既登録識別コードに対応する。
グループコードは、契約対象に対応する。
例えば、グループコードは、駐車空間または駐車パレットに対応する。
駐車パレットは、駐車空間に車両を格納するために車両を乗せる構造体である。
サブコードは、グループコードに対する子コードである。例えば、サブコードは連番である。
記録認証コードは、デバイス１０に記録される認証コードに対応する。
カード種別は、デバイスの種別に相当する。例えば、「１」であるカード種別は「ＩＣカード」に相当する。「２」であるカード種別は、「携帯電話」に相当する。
車種は、車の種類に対応する。例えば、「１」である車種は、「普通車」に対応する。「２」である車種は、「ハイフーフ車」に対応する。「３」である車種は、「ＭＲ車」に対応する。
【００７７】
装置２０は、デバイス１０と通信して、デバイス１０に装置２０へ識別コードを送信させて、記録された記録識別コードの中に送信された識別コードを発見すると発見された識別コードに関連するグループコードに対応する契約対象に関する操作指令を受け付ける。
【００７８】
管理サーバ３０は、予め契約コードに対応する記録契約コードを記録する。
契約コードは契約対象に対応する。
管理サーバ３０は、公衆通信回線を介して通信可能である。
例えば、管理サーバ３０は、インターネットのＵＲＬを割り当てられており、携帯電話通信アプリケーションとデータベースソフトとで構成される。
例えば、携帯電話通信アプリケーションは、携帯電話網を介して携帯電話と通信できる。
データベースソフトは、管理データを管理する。
例えば、管理データのデータ構造は、記録契約コードと記録パスワードと記録ユーザＩＤと記録識別コードとで構成される。
記録識別コードは、記録既登録識別コードと記録識別コードとで構成される。
記録契約コードは、契約コードに対応する。
記録パスワードは、パスワードに対応する。
記録ユーザＩＤは、ユーザＩＤに対応する。
記録既登録識別コードは、既登録識別コードに対応する。
記録識別コードは、識別コードに対応する。
【００７９】
第一工程は、デバイス１０と管理サーバ３０とを公衆通信回線を介して通信させ、デバイス１０が管理サーバ３０へ契約コードとパスワードとを送信し、管理サーバが記録された記録契約コードの中に送信された契約コードを発見し発見された記録契約コードに関連する契約パスワードがパスワードに対応したときにデバイスに「真」状態にした認証コードと識別コードとユーザＩＤとを返信しデバイスが返信された認証コードと識別コードとユーザＩＤとを記録する工程である。
管理サーバ３０が、デバイス１０と公衆通信回線を介して通信して、デバイス１０に管理サーバ３０へ契約コードとパスワードとを送信させて、記録された記録契約コードの中に送信された契約コードを発見し発見された記録契約コードに関連する契約パスワードがパスワードに対応したときにデバイスに「真」状態にした認証コードと識別コードとユーザＩＤとを返信して、デバイスに返信された認証コードと識別コードとユーザＩＤとを記録させてもよい。
【００８０】
以下に、第一工程を手順毎に説明する。
使用者が、デバイス１０を操作して、デバイス１０と管理サーバ３０とを公衆通信回線を介して通信させる。
例えば、使用者が、携帯電話１２を操作してＱＲコードを読み取らせ、携帯電話１２がＱＲコードを解読して得たＵＲＬを利用して携帯電話網を介して管理サーバ３０に通信する。
使用者が、デバイス１０に契約コードとパスワードとユーザＩＤを入力し、デバイス１０に管理サーバ３０へ契約コードを送信させる。
例えば、使用者が携帯電話１２の画面を見ながら契約コードとユーザＩＤをキー入力し、送信させる。
例えば、使用者が携帯電話１２の画面を見ながら画面の指示に従って契約コードとユーザＩＤをキー入力し、送信ボタンを押して送信させる。
管理サーバ３０が、記録された記録契約コードの中に送信された契約コードを発見し発見された記録契約コードに関連する契約パスワードがパスワードに対応したときに、デバイスに「真」状態にした認証コードと識別コードとユーザＩＤとを返信する。
デバイス１０が、返信された認証コードと識別コードとユーザＩＤとを記録する。
【００８１】
第二工程は、デバイス１０と装置２０とを通信させ、デバイス１０が装置２０へ認証コードと識別コードとを送信し、装置２０が「真」状態である認証コードを受信したときに既登録デバイス１１と装置２０と通信させて、既登録デバイス１１が装置２０へ既登録識別コードを送信し、装置２０が記録された記録識別コードの中に送信された既登録識別コードを発見したときに識別コードに対応する記録識別コードを発見された既登録識別コードに関連するグループコードに関連づけて記録する工程である。
第二工程は、デバイス１０と装置２０とを通信させ、デバイス１０が装置２０へ認証コードと識別コードとを送信し、装置２０が「真」状態である認証コードを受信したときに既登録デバイスと装置との通信を要求して既登録デバイス１１と装置２０と通信させて、既登録デバイス１１が装置２０へ既登録識別コードを送信し、装置２０が記録された記録識別コードの中に送信された既登録識別コードを発見したときに識別コードに対応する記録識別コードを発見された既登録識別コードに関連するグループコードに関連づけて記録してもよい。
装置が、デバイスと通信して、デバイスに装置へ認証コードと識別コードとを送信させて、「真」状態である認証コードを受信したときに既登録デバイスと通信して、既登録デバイスに装置へ既登録識別コードを送信させて記録された記録識別コードの中に送信された既登録識別コードを発見したときに識別コードに対応する記録識別コードを発見された既登録識別コードに関連するグループコードに関連づけて記録してもよい。
装置が、デバイスと通信して、デバイスに装置へ認証コードと識別コードとを送信させて、「真」状態である認証コードを受信したときに既登録デバイスとの通信を要求して既登録デバイスと通信して、既登録デバイスに装置へ既登録識別コードを送信させて記録された記録識別コードの中に送信された既登録識別コードを発見したときに識別コードに対応する記録識別コードを発見された既登録識別コードに関連するグループコードに関連づけて記録してもよい。
【００８２】
以下に、第二工程を手順毎に説明する。
使用者が、デバイス１０を操作して、デバイス１０と装置２０とを通信させる。
例えば、使用者がデバイス１０を装置２０の非接触ＩＣチップリーダ／ライタにかざして、デバイス１０と装置２０とを通信させる。
デバイス１０が、装置２０へ認証コードと識別コードとを送信する。
装置２０が「真」状態である認証コードを受信したときに既登録デバイス１１と装置２０と通信させる。
装置２０が「真」状態である認証コードを受信したときに、既登録デバイスと装置との通信を要求して、既登録デバイス１１と装置２０と通信させてもよい。
例えば、装置２０が、「真」状態である認証コードを受信したときに、既登録デバイスと装置との通信を要求する、使用者が要求に応じて既登録デバイス１１と装置とを通信させる。
例えば、使用者が、要求に応じて既登録デバイス１１を装置２０の非接触ＩＣチップリーダ／ライタにかざして、既登録デバイス１１と装置２０とを通信させる。
既登録デバイスに装置へ既登録識別コードを送信させる。
例えば、既登録デバイス１１が装置２０へ既登録識別コードを送信する。
装置２０が、記録された記録識別コードの中に送信された既登録識別コードを発見したときに、識別コードに対応する記録識別コードを発見された既登録識別コードに関連するグループコードに関連づけて記録する。
【００８３】
上記の様にした後で、使用者がデバイス１０を操作して、デバイス１０と装置２０とを通信させ、デバイス１０が装置２０に識別コードを送信すると、装置は、記録された記録識別コードの中に送信された識別コードに対応する記録識別コードを発見するので、発見された識別コードに関連するグループコードに対応する契約対象に関する操作指令を受け付ける。
その結果、使用者は駐車装置を操作することをでき、車両を入庫または出庫させることをできる。
【００８４】
次に、本発明の第八の実施形態にかかる登録方法と登録システムを、図を基に、説明する。
図３は、本発明の第七、八の実施形態に係る装置のデータ構造図である。図４は、本発明の第七、八の実施形態に係る管理サーバのデータ構造図である。図７は、本発明の第八の実施形態に係る登録方法の機能しくみ図である。図８は、本発明の第八の実施形態に係る登録方法のフローチャート図である。
第八の実施形態にかかる登録方法と登録システムは、第五の実施形態にかかる登録方法と登録システムの実施形態の一例でもある。
図中で、「契約番号」が契約コードに相当し、「携帯ＩＤ」が認識コードに相当し、「登録完了コード」が認証コードに相当する。
【００８５】
本発明の第八の実施形態にかかる駐車装置は、ＩＣカード機能をもつデバイス１０に記録される識別コードを所定の契約コードに対応した契約対象を含む装置２０に登録する登録方法は、準備工程と第一工程と第二工程とで構成される。
【００８６】
準備工程は、第七の実施形態にかかる登録方法と登録システムのものと同じなので、説明を省略する。
【００８７】
第一工程は、デバイス１０と管理サーバ３０とを公衆通信回線を介して通信させ、デバイス１０が管理サーバ３０へ契約コードとパスワードとユーザＩＤとを送信し、管理サーバ３０が記録された記録契約コードの中に送信された契約コードを発見し発見した記録契約コードに関連する記録パスワードがパスワードに対応したときにデバイス１０に「真」状態にした認証コードと識別コードと発見した契約コードに関連する既登録識別コードとを返信し、デバイス１０は返信された認証コードと識別コードと既登録識別コードとを記録する工程である。
管理サーバ３０が、デバイス１０と公衆通信回線を介して通信して、デバイス１０に管理サーバ３０へ契約コードとパスワードとユーザＩＤとを送信させて、記録された記録契約コードの中に送信された契約コードを発見し発見した記録契約コードに関連する記録パスワードがパスワードに対応したときにデバイス１０に「真」状態にした認証コードと識別コードと発見した契約コードに関連する既登録識別コードとを返信して、デバイス１０に返信された認証コードと識別コードと既登録識別コードとを記録させてもよい。
【００８８】
以下に、第一工程を手順毎に説明する。
使用者が、デバイス１０を操作して、デバイス１０と管理サーバ３０とを公衆通信回線を介して通信させる。
例えば、使用者が、携帯電話１２を操作してＱＲコードを読み取らせ、携帯電話１２がＱＲコードを解読して得たＵＲＬを利用して携帯電話網を介して管理サーバ３０に通信する。
使用者が、デバイス１０に契約コードとパスワードとを入力し、デバイス１０に管理サーバ３０へ契約コードと識別コードとパスワードとを送信させる。
例えば、使用者が、画面の指示に従ってデバイス１０に契約コードとパスワードとを入力し、送信ボタンを押してデバイス１０に管理サーバ３０へ契約コードと識別コードとパスワードとを送信させる。
例えば、使用者が携帯電話１２の画面を見ながら契約コードとパスワードとをキー入力し、送信させる。
管理サーバ３０が、記録された記録契約コードの中に送信された契約コードを発見し、発見した記録契約コードに対応する記録パスワードがパスワードに対応しときに、デバイスに「真」状態にした認証コードと識別コードと発見した契約コードに関連する既登録識別コードとを返信する。
デバイス１０が、返信された認証コードと識別コードと既登録識別コードとを記録する。
【００８９】
第二工程は、デバイス１０と装置２０とを通信させ、デバイス１０が装置２０へ認証コードと識別コードと既登録識別コードとを送信させ、装置２０が「真」状態である認証コードを受信し記録された記録識別コードの中に送信された既登録識別コードを発見したときに送信された識別コードを発見された既登録識別コードに関連するグループコードに関連づけて記録し送信された既登録識別コードを発見された既登録識別コードに関連するグループコードに関連しないように処理する。
装置２０が、デバイス１０と通信して、デバイス１０に装置２０へ認証コードと識別コードと既登録識別コードとを送信させて、「真」状態である認証コードを受信し記録された記録識別コードの中に送信された既登録識別コードを発見したときに送信された識別コードを発見された既登録識別コードに関連するグループコードに関連づけて記録し送信された既登録識別コードを発見された既登録識別コードに関連するグループコードに関連しないように処理してもよい。
【００９０】
以下に、第二工程を手順毎に、説明する。
使用者が、デバイス１０を操作して、デバイス１０と装置２０とを通信させる。
例えば、使用者がデバイス１０を装置２０の非接触ＩＣチップリーダ／ライタにかざして、デバイス１０と装置２０とを通信させる。
デバイス１０が、装置２０へ認証コードと識別コードと既登録識別コードとを送信する。
装置２０が、デバイスと通信してデバイスに装置へ認証コードと識別コードと既登録識別コードとを送信させて「真」状態である認証コードを受信し送信された記録された記録識別コードの中に送信された既登録識別コードを発見したときに送信された識別コードを発見された既登録識別コードに関連するグループコードに関連づけて記録する。
装置が、送信された既登録識別コードを発見された既登録識別コードに関連するグループコードに関連しないように処理する。
すなわち、装置２０が、送信された既登録識別コードを発見された既登録識別コードである既登録識別コードに関連するグループコードに関連しないように処理する。
例えば、既登録識別コードに関連する削除フラグを「オン」にする。
例えば、既登録識別コードに他のデータを上書きする。例えば、他のデータが「ＦＦＦ・・・・ＦＦ」、「０００・・・０００｝である。
【００９１】
上記の様にした後で、使用者がデバイス１０を操作して、デバイス１０と装置２０とを通信させ、デバイス１０が装置２０に識別コードを送信すると、装置は、記録された記録識別コードの中に送信された識別コードに対応する記録識別コードを発見するので、発見された識別コードに関連するグループコードに対応する契約対象に関する操作指令を受け付ける。
また、使用者が既登録デバイス１１を操作して、デバイス１０と装置２０とを通信させ、デバイス１０が装置２０に識別コードを送信すると、装置は、記録された記録識別コードの中に送信された識別コードに対応する記録識別コードを発見しないので、発見された識別コードに関連するグループコードに対応する契約対象に関する操作指令を受け付けない。
その結果、使用者は新たに登録したデバイス１０で駐車装置を操作することをでき、車両を入庫または出庫させることをできる。
【００９２】
また、本発明の実施形態に係る登録方法は、その構成により、以下の効果を有する。
装置２０が既登録デバイス１１の識別コードを契約対象に対応するグループコードに関連づけて記録し、管理サーバ３０が記録契約コードを記録し、デバイス１０と管理サーバ３０とを公衆通信回線を介して通信させ、管理サーバ３０がデバイス１０に「真」状態にした認証コードを記録させ、デバイスと装置とを通信させ「真」状態である認証コードを受信したときに装置が記録識別コードをグループコードに関連づけて記録する様にしたので、ＩＣカード機能をもつデバイス１０の識別コードを契約対象に関連づけて装置に登録できる。
また、デバイス１０と管理サーバ３０とを公衆通信回線を介して通信させ、管理サーバ３０がデバイス１０から送信された契約コードに対応する記録契約コードを記録しているときにデバイス１０に「真」状態の認証コードを記録させ、デバイス１０と装置２０とを通信させ、デバイス１０から送信された認証コードが「真」であるときに既登録デバイスと装置とを通信させ、装置２０がデバイス１０から送信された識別コードを既登録デバイス１１から送信された既登録識別コードに関連するグループコードに関連して記録する様にしたので、ＩＣカード機能をもつデバイスの識別コードを契約対象に関連づけて装置に登録できる。
デバイス１０と管理サーバ３０とを公衆通信回線を介して通信させ、管理サーバ３０がデバイス１０から送信された契約コードに対応する記録契約コードを記録しているときにデバイス１０に「真」状態の認証コードを記録させ、デバイス１０と装置２０とを通信させ、デバイス１０から送信された認証コードが「真」であるときに既登録デバイス１１と装置とを通信させ、装置２０がデバイス１０から送信された識別コードを既登録デバイスから送信された既登録識別コードに関連するグループコードに関連して記録し、既登録識別コードをグループコードに関連しないように処理する様にしたので、既登録デバイス１１の既登録識別コードに替えてＩＣカード機能をもつデバイス１０の識別コードを契約対象に関連づけて装置に登録できる。
また、デバイス１０と管理サーバ３０とを公衆通信回線を介して通信させ、管理サーバ３０がデバイス１０から送信された契約コードに対応する記録契約コードを記録しているときにデバイス１０に「真」状態の認証コードと既登録識別コードとを記録させ、デバイス１０と装置２０とを通信させ、デバイス１０から送信された認証コードが「真」であるときにデバイス１０から送信された識別コードをデバイス１０から送信された既登録識別コード１１に関連するグループコードに関連して記録する様にしたので、ＩＣカード機能をもつデバイス１０の識別コードを契約対象に関連づけて装置に登録できる。
また、デバイス１０と管理サーバ３０とを公衆通信回線を介して通信させ、管理サーバ３０がデバイス１０から送信された契約コードに対応する記録契約コードを記録しているときにデバイス１０に「真」状態の認証コードと既登録識別コードとを記録させ、デバイス１０と装置２０とを通信させ、デバイス１０から送信された認証コードが「真」であるときにデバイス１０から送信された識別コードをデバイス１０から送信された既登録識別コードに関連するグループコードに関連して記録し送信された既登録識別コードを発見された既登録識別コードに関連するグループコードに関連しないように処理する様にしたので、既登録デバイスの既登録識別コードに換えてＩＣカード機能をもつデバイス１０の識別コードを契約対象に関連づけて装置に登録できる。
また、デバイス１０と管理サーバ３０とを公衆通信回線を介して通信させ、管理サーバ３０がデバイス１０から送信された契約コードに対応する記録契約コードを記録しているときにデバイス１０に既登録識別コードを記録させ、デバイス１０と装置２０とを通信させ、デバイス１０から送信された既登録識別コードに関連するグループコードに関連して記録する様にしたので、ＩＣカード機能をもつデバイスの識別コードを契約対象に関連づけて装置に登録できる。
【００９３】
また、本発明の実施形態に係る登録システムは、その構成により、以下の効果を有する。
装置２０が既登録デバイス１１の識別コードを契約対象に対応するグループコードに関連づけて記録し、管理サーバ３０が記録契約コードを記録し、管理サーバ３０がデバイス１０と公衆通信回線を介して通信してデバイス１０に「真」状態にした認証コードを記録させ、装置２０がデバイス１０と通信して「真」状態である認証コードを受信したときに記録識別コードをグループコードに関連づけて記録する様にしたので、ＩＣカード機能をもつデバイス１０の識別コードを契約対象に関連づけて装置に登録できる。
また、管理サーバ３０がデバイス１０と公衆通信回線を介して通信して、デバイス１０から送信された契約コードに対応する記録契約コードを記録しているときにデバイス１０に「真」状態の認証コードを記録させ、装置２０がデバイス１０と通信して、デバイス１０から送信された認証コードが「真」であるときに既登録デバイスと装置とを通信させ、デバイス１０から送信された識別コードを既登録デバイス１１から送信された既登録識別コードに関連するグループコードに関連して記録し、装置２０がデバイス１０の識別コードを記憶しているのを発見すると関連するグループコードに対応する契約対象に対する操作指令を受け付ける様にしたので、ＩＣカード機能をもつデバイス１０の識別コードを契約対象に関連づけて装置に登録でき、登録されたデバイス１０により装置２０を操作できる。
また、管理サーバ３０がデバイス１０と公衆通信回線を介して通信させ、デバイス１０から送信された契約コードに対応する記録契約コードを記録しているときにデバイス１０に「真」状態の認証コードを記録させ、装置２０がデバイス１０とを通信し、デバイス１０から送信された認証コードが「真」であるときに既登録デバイスと通信して、デバイス１０から送信された識別コードを既登録デバイス１１から送信された既登録識別コードに関連するグループコードに関連して記録し、既登録識別コードをグループコードに関連しないように処理し、装置２０がデバイス１０の識別コードを記憶しているのを発見すると関連するグループコードに対応する契約対象に対する操作指令を受け付ける様にしたので、既登録デバイス１１の既登録識別コードに替えてＩＣカード機能をもつデバイスの識別コードを契約対象に関連づけて装置に登録でき、登録されたデバイスにより装置を操作できる。
また、管理サーバ３０が、デバイス１０と公衆通信回線を介して通信して、デバイス１０から送信された契約コードに対応する記録契約コードを記録しているときにデバイス１０に「真」状態の認証コードと既登録識別コードとを記録させ、装置２０がデバイス１０と通信して、デバイス１０から送信された認証コードが「真」であるときにデバイス１０から送信された識別コードをデバイス１０から送信された既登録識別コードに関連するグループコードに関連して記録し、装置２０がデバイス１０の識別コードを記録しているのを発見すると関連するグループコードに対応する契約対象に対する操作指令を受け付ける様にしたので、ＩＣカード機能をもつデバイス１０の識別コードを契約対象に関連づけて装置に登録でき、登録されたデバイス１０により装置を操作できる。
また、管理サーバ３０が、デバイス１０と公衆通信回線を介して通信して、デバイス１０から送信された契約コードに対応する記録契約コードを記録しているときにデバイス１０に「真」状態の認証コードと既登録識別コードとを記録させ、装置２０がデバイス１０と通信して、デバイス１０から送信された認証コードが「真」であるときにデバイス１０から送信された識別コードをデバイス１０から送信された既登録識別コードに関連するグループコードに関連して記録し、送信された既登録識別コードを発見された既登録識別コードに関連するグループコードに関連しないように処理し、装置２０がデバイス１０の識別コードを記憶しているのを発見すると関連するグループコードに対応する契約対象に対する操作指令を受け付ける様にしたので、既登録デバイスの既登録識別コードに替えてＩＣカード機能をもつデバイス１０の識別コードを契約対象に関連づけて装置に登録でき、登録されたデバイス１０により装置を操作できる。
また、管理サーバ２０がデバイス１０と公衆通信回線を介して通信してデバイス１０から送信された契約コードに対応する記録契約コードを記録しているときにデバイス１０に既登録識別コードを記録させ、装置２０がデバイス１０と通信して、デバイス１０から送信された既登録識別コードに関連するグループコードに関連して記録し、装置２０がデバイス１０の識別コードを記憶しているのを発見すると関連するグループコードに対応する契約対象に対する操作指令を受け付ける様にしたので、ＩＣカード機能をもつデバイス１０の識別コードを契約対象に関連づけて装置に登録でき、登録されたデバイス１０により装置を操作できる。
従って、簡易な手続きによりＩＣカード機能をもつデバイスを装置に登録する登録方法と登録システムを提供できる。
【００９４】
本発明は以上に述べた実施形態に限られるものではなく、発明の要旨を逸脱しない範囲で各種の変更が可能である。
【符号の説明】
【００９５】
１０  デバイス
１１  既登録デバイス
１２  携帯電話
２０  装置
３０  管理サーバ
【先行技術文献】
【特許文献】
【００９６】
【特許文献１】特開２００５−１８６８７号
【特許文献２】特開２００５−７８４０５号
【特許文献３】特開２００８−１３００５２号
【図１】
0005622534.tif 000002
【図２】
0005622534.tif 000003
【図３】
0005622534.tif 000004
【図４】
0005622534.tif 000005
【図５】
0005622534.tif 000006
【図６】
0005622534.tif 000007
【図７】
0005622534.tif 000008
【図８】
0005622534.tif 000009